(57)【要約】乗り手の脚の動きを介して、スノーボードのような滑走ボードを制御するためのハイバック。ハイバックは、直立支持部材からなり、直立支持部材は、乗り手の脚によって接触され、かつこれを支持する少なくとも２つの部分を含み、これらはハイバックの所望のフォワードリーンを設定するための互いに対して可動である。支持部材は、スノーポードのような滑走ボード構成要素にハイバックを搭載するための１対の搭載位置を含み、ハイバックのフォワードリーンを変化させるために下部分によって可動に支持される上部分を含む。ハイバックは、上部分が、予め定められたフォワードリーン位置を超えてヒール方向に移動することを防ぐフォワードリーンアジャスタを含み得る。フォワードリーンアジャスタは、ハイバックの上部分および下部分に結合されて、上部分を、滑走ボード構成要素から独立して選択されたフォワードリーン位置に維持する。ライド／リラックス特徴が提供されて、ハイバックが予め定められたフォワードリーン位置に固定されるライドモードか、またはハイバックが拘束されずそれによりフォワードリーン位置を超えたヒール方向への脚の動きが可能になるリラックスモードのいずれかに配置することができる。ボードに対するトウエッジの移動を防いでボードの反応を高めるために、ハイバックを直立ライディング位置にロックするためのロック構成もまた提供される。【実用新案登録請求の範囲】
【請求項１】
乗り手の脚とインターフェイスし、滑走ボードによって支持可能である滑走ボード構成要素と併せて用いるためのハイバックであって、
乗り手の脚の後ろ部分を支持するよう構築され配置される直立支持部材を含み、前記支持部材は、下部分と、前記下部分によって可動に支持される上部分とを含み、前記下部分はハイバックを搭載軸を中心として滑走ボード構成要素に搭載するよう構築され配置され、前記上部分は、ハイバックのフォワードリーンの程度を変化させるために複数の位置において下部分に対して調節可能であり、ハイバックはさらに
フォワードリーンアジャスタを含み、前記フォワードリーンアジャスタは前記上部分に装着されて、ハイバックのフォワードリーンの程度を固定するために上部分を複数の位置のうちの選択された１つに維持する、ハイバック。
【請求項２】
前記上部分は、搭載軸から離れたフォワードリーン軸を中心として、下部分に回動可能に装着される、請求項１に記載のハイバック。
【請求項３】
上部分と下部分とは一体構造として統合して形成され、上部分は少なくとも一体型丁番によって下部分に回動可能に接続される、請求項２に記載のハイバック。
【請求項４】
背面部材は上部分と下部分との間に横方向に延在する開口を有し、前記少なくとも１つの一体型丁番は、開口の両側に配置される１対の一体型丁番を含む、請求項３に記載のハイバック。
【請求項５】
前記開口は、背面部材を通って延在する引き伸ばされたスロットを含む、請求項４に記載のハイバック。
【請求項６】
前記上部分は、フォワードリーン軸に沿って少なくとも１つのファスナによって下部分に回動可能に接続される、請求項２に記載のハイバック。
【請求項７】
前記フォワードリーンアジャスタは、滑走ボード構成要素から独立して、ハイバックのフォワードリーンの程度を維持するために下部分に結合される、請求項１に記載のハイバック。
【請求項８】
フォワードリーンアジャスタは、下部分に回動可能に接続される、請求項７に記載のハイバック。
【請求項９】
前記フォワードリーンアジャスタは、上部分に搭載される調節可能ブロックと、調節可能ブロックを下部分に結合するリンクとを含む、請求項８に記載のハイバック。
【請求項１０】
前記フォワードリーンアジャスタは、下部分に回動可能に接続されるレバーをさらに含み、前記リンクはレバーに回動可能に装着され、前記レバーは第１の位置と第２の位置との間で可動であり、前記上部分は、レバーが第１の位置に移動した場合にフォワードリーン位置を超えてヒール方向に移動することを妨げられ、前記上部分は、レバーが第２の位置に移動した場合にヒール方向に抑制されず、上部分の移動がフォワードリーン位置を超えることが可能になる、請求項９に記載のハイバック。
【請求項１１】
前記フォワードリーンアジャスタは、オーバーセンター構成として構成される、請求項１０に記載のハイバック。
【請求項１２】
前記下部分は、ヒール方向に延在する当接部を含み、前記当接部は力をハイバックから滑走ボードに伝達するよう滑走ボード構成要素の一部と係合するよう構築され配置される、請求項１に記載のハイバック。
【請求項１３】
前記当接部は、下部分の一部をわたって横方向に延在する引き延ばされたリップを含む、請求項１２に記載のハイバック。
【請求項１４】
前記フォワードリーンアジャスタは、当接部に回動可能に装着される、請求項１３に記載のハイバック。
【請求項１５】
前記下部分は第１のロック特徴を含み、前記第１のロック特徴は、ハイバックが直立したライディング位置にロックされて滑走ボードに対するトウエッジ移動を防ぐよう、滑走ボード構成要素上の第２のロック特徴と係合するよう構築され配置される、請求項１に記載のハイバック。
【請求項１６】
第１および第２のロック特徴は、移動止めを形成する、請求項１５に記載のハイバック。
【請求項１７】
前記第１のロック特徴は、下部分の後ろ表面にわたって横方向に延在する引き延ばされた溝を含み、滑走ボード構成要素上の前記第２のロック特徴はキャッチを含み、前記溝は前記キャッチを受けるよう適合される、請求項１６に記載のハイバック。
【請求項１８】
下部分の両側に支持されて、ハイバックを搭載軸を中心として滑走ボード構成要素に搭載する１対の横方向の耳をさらに含む、請求項１に記載のハイバック。
【請求項１９】
前記下部分は、ブーツのヒール部分を保持するよう構成されるヒールカップを含み、前記上部分は、ヒールカップの近傍に配置される下側エッジを含む、請求項１に記載のハイバック。
【請求項２０】
滑走ボードはスノーボードであり、滑走ボード構成要素はスノーボード構成要素である、請求項１に記載のハイバック。
【請求項２１】
スノーボード構成要素との組合せにおいて、ハイバックはスノーボード構成要素上に搭載される、請求項２０に記載のハイバック。
【請求項２２】
前記スノーボード構成要素は、ベースプレートを有するスノーボードビンディングを含み、前記ハイバックはベースプレートに回動可能に搭載される、請求項２１に記載の組合せ。
【請求項２３】
前記スノーボードビンディングは、スノーボードブーツを固定するためにベースプレートに搭載される少なくとも１つの調節可能なストラップを含む、請求項２２に記載の組合せ。
【請求項２４】
前記スノーボードビンディングはステップインビンディングである、請求項２２に記載の組合せ。
【請求項２５】
前記スノーボード構成要素はスノーボードブーツを含み、前記ハイバックはスノーボードブーツに回動可能に搭載される、請求項２１に記載の組合せ。
【請求項２６】
前記スノーボード構成要素は、スノーボードブーツとスノーボードビンディングとをインターフェイスさせるよう構築され配置される取外し可能ビンディングインターフェイスを含み、前記ハイバックはビンディングインターフェイスに回動可能に搭載される、請求項２１に記載の組合せ。
【請求項２７】
乗り手の脚とインターフェイスし、滑走ボードによって支持可能である滑走ボード構成要素と併せて用いるためのハイバックであって、乗り手の脚の後ろ部分を支持するよう構築され配置される直立支持部材を含み、前記支持部材は、下部分と、前記下部分によって可動に支持される上部分とを含み、前記下部分はハイバックを搭載軸を中心として滑走ボード構成要素に搭載するよう構築され配置され、前記上部分は、ハイバックのフォワードリーンの程度を変化させるために複数の位置において下部分に対して調節可能であり、ハイバックはさらに
前記支持部材に結合されるライド／リラックスアクチュエータを含み、前記ライド／リラックスアクチュエータはライドモードとリラックスモードとを有し、ライド／リラックスアクチュエータがライドモードに置かれた場合には、前記上部分は下部分に対して予め定められたフォワードリーン位置に固定され、脚の動きがフォワードリーン位置を超えてヒール方向に移動することを防いで、ヒール方向への脚の動きがハイバックを通して滑走ボード構成要素に伝わり、ライド／リラックスアクチュエータがリラックスモードに置かれた場合には、上部分は下部分に対して抑制されておらず、それによりフォワードリーン位置を超えたヒール方向への脚の動きが可能になる、ハイバック。
【請求項２８】
前記上部分は、搭載軸から離れたフォワードリーン軸を中心として下部分に回動可能に装着される、請求項２７に記載のハイバック。
【請求項２９】
上部分および下部分は一体構造として統合して形成され、上部分は少なくとも１つの一体型丁番によって下部分に回動可能に接続される、請求項２８に記載のハイバック。
【請求項３０】
背面部材は、前記上部分と下部分との間に横方向に延在する開口を有し、前記少なくとも１つの一体型丁番は、開口の両側に配置される１対の一体型丁番を含む、請求項２９に記載のハイバック。
【請求項３１】
前記開口は、背面部材を通って延在する引き延ばされたスロットを含む、請求項３０に記載のハイバック。
【請求項３２】
前記上部分は、フォワードリーン軸に沿って少なくとも１つのファスナによって下部分に回動可能に接続される、請求項２８に記載のハイバック。
【請求項３３】
前記ライド／リラックスアクチュエータは、ライドモードに置かれた場合、滑走ボード構成要素から独立して、ハイバックのフォワードリーンの程度を維持する、請求項２７に記載のハイバック。
【請求項３４】
前記ライド／リラックスアクチュエータは、下部分に回動可能に接続される、請求項３３に記載のハイバック。
【請求項３５】
ライド／リラックスアクチュエータは、予め定められたフォワードリーン位置を調節するための上部分に搭載される調節可能ブロックと、調節可能ブロックを下部分に結合するリンクとを含む、請求項３４に記載のハイバック。
【請求項３６】
ライド／リラックスアクチュエータはさらに、下部分に回動可能に接続されるレバーを含み、前記リンクは前記レバーに回動可能に装着され、前記レバーは、上部分をそれぞれライドモードとリラックスモードとに配置するために第１の位置と第２の位置との間において可動である、請求項３５に記載のハイバック。
【請求項３７】
ライド／リラックスアクチュエータは、オーバーセンター構成として構成される、請求項３６に記載のハイバック。
【請求項３８】
下部分は、ヒール方向に延在する当接部を含み、前記当接部は、ハイバックから滑走ボードに力を伝達するよう滑走ボード構成要素の一部と係合するよう構築され配置される、請求項２７に記載のハイバック。
【請求項３９】
前記当接部は、下部分の一部を横方向にわたって延在する引き延ばされたリップを含む、請求項３８に記載のハイバック。
【請求項４０】
前記フォワードリーンアジャスタは前記当接部に回動可能に装着される、請求項３９に記載のハイバック。
【請求項４１】
下部分は、第１のロック特徴を含み、前記第１のロック特徴は、ハイバックを直立ライディング位置にロックして、滑走ボードに対するトウエッジ移動を防ぐよう滑走ボード構成要素上の第２のロック特徴と係合するよう構築され配置される、請求項２７に記載のハイバック。
【請求項４２】
前記第１および第２のロック特徴は移動止めを形成する、請求項４１に記載のハイバック。
【請求項４３】
前記第１のロック特徴は、下部分の後ろ表面をわたって横方向に延在する引き延ばされた溝を含み、滑走ボード構成要素上の第２のロック特徴は、キャッチを含み、前記溝は前記キャッチを受けるよう適合される、請求項４２に記載のハイバック。
【請求項４４】
搭載軸を中心としてハイバックを滑走ボードに搭載するための、下部分の両側で支持される１対の横方向の耳をさらに含む、請求項２７に記載のハイバック。
【請求項４５】
前記下部分はブーツのヒール部分を保持するよう構成されるヒールカップを含み、前記上部分は、ヒールカップの近傍に配置される下側エッジを含む、請求項２７に記載のハイバック。
【請求項４６】
前記滑走ボードはスノーボードであり、前記滑走ボード構成要素はスノーボード構成要素である、請求項２７に記載のハイバック。
【請求項４７】
スノーボード構成要素との組合せにおいて、前記ハイバックはスノーボード構成要素上に搭載される、請求項４６に記載のハイバック。
【請求項４８】
前記スノーボード構成要素は、ベースプレートを有するスノーボードビンディングを含み、前記ハイバックはベースプレート上に回動可能に搭載される、請求項４７に記載の組合せ。
【請求項４９】
前記スノーボードビンディングは、スノーボードブーツを固定するための、ベースプレートに搭載される少なくとも１つの調節可能ストラップを含む、請求項４８に記載の組合せ。
【請求項５０】
前記スノーボードビンディングは、ステップインビンディングである、請求項４８に記載の組合せ。
【請求項５１】
前記スノーボード構成要素はスノーボードブーツを含み、前記ハイバックはスノーボード上に回動可能に搭載される、請求項４７に記載の組合せ。
【請求項５２】
前記スノーボード構成要素は、スノーボードブーツとスノーボードビンディングとをインターフェイスさせるよう構築され配置される取外し可能ビンディングインターフェイスを含み、前記ハイバックはビンディングインターフェイスに回動可能に搭載される、請求項４７に記載の組合せ。
【請求項５３】
スノーボードビンディングであって、
スノーボードブーツを受けるよう構築され配置されるベースプレートを含み、前記ベースプレートはスノーボードに搭載可能であり、前記ビンディングはさらに
ベースプレートによって支持されるヒールフープと、
乗り手の脚の後ろ部分を支持するよう構築され配置される直立支持部材を含むハイバックを含み、前記支持部材は、ブーツのヒール部分を保持するよう構築されるヒールカップを有する下部分を含み、前記下部分は、搭載軸を中心としてハイバックをベースプレートに回動可能に搭載するよう構築され配置され、前記支持部材は、ハイバックのフォワードリーンの程度を変化させるためにフォワードリーン軸を中心として下側部分によって回動可能に支持される上部分をさらに含み、前記フォワードリーン軸は搭載軸から離れ、ヒールカップの近傍に位置決めされる、スノーボードビンディング。
【請求項５４】
前記上部分および下部分は一体構造として統合して形成され、上部分は少なくとも１つの一体型丁番によって下部分に回動可能に接続される、請求項５３に記載のスノーボードビンディング。
【請求項５５】
前記背面部材は、ヒールカップの近傍において上部分と下部分との間に横方向に延在する開口を有し、前記少なくとも１つの一体型丁番は、開口の両側に配置される１対の一体型丁番を含む、請求項５４に記載のスノーボードビンデイング。
【請求項５６】
前記開口は、背面部材を通って延在する引き延ばされたスロットを含む、請求項５５に記載のスノーボードビンディング。
【請求項５７】
前記上部分は、フォワードリーン軸に沿って少なくとも１つのファスナによって下部分に回動可能に接続される、請求項５３に記載のスノーボードビンデイング。
【請求項５８】
前記下側部分は、ヒール方向に延在する当接部を含み、前記当接部はハイバックから滑走ボードへ力を伝達するようヒールフープの上側エッジと係合するよう構築され配置され、前記当接部は、開口とヒールカップとの間に配置される、請求項５５に記載のスノーボードビンディング。
【請求項５９】
前記当接部は、ヒールフープの実質的な部分と係合するよう下部分の一部をわたって横方向に延在する引き延ばされたリップを含む、請求項５８に記載のスノーボードビンディング。
【請求項６０】
ヒールカップから独立してハイバックのフォワードリーンの程度を固定するよう前記上部分を選択された位置に維持するよう、上部分と当接部とに結合されるフォワードリーンアジャスタをさらに含む、請求項５８に記載のスノーボードビンディング。
【請求項６１】
前記ハイバックは、ハイバックをベースプレートに搭載するための下部分の両側で支持される１対の横方向の耳を含む、請求項５３に記載のスノーボードビンディング。
【請求項６２】
上部分は、ヒールカップの近傍に配置される下側エッジを含む、請求項５３に記載のスノーボードビンディング。
【請求項６３】
スノーボードビンディングであって、
スノーボードブーツを受けるよう構築され配置されるベースプレートを含み、前記ベースプレートはスノーボードに搭載可能であり、前記スノーボードビンディングはさらに
乗り手の脚の後ろ部分と接触し、かつ支持するよう構築され配置される直立支持部材を含み、前記ハイバックは搭載軸を中心としてベースプレートに回動可能に搭載され、前記スノーボードビンデイングはさらに
ベースプレートによって支持されるヒールフープと、
ハイバック上に配置される第１のロック特徴と、
ハイバックに隣接するヒールフープの内面上に配置される第２のロック特徴とを含み、前記第２のロック特徴は、ハイバックのトウエッジ回動を防ぐために第１のロック特徴と係合するよう構築され配置される、スノーボードビンディング。
【請求項６４】
前記ハイバックは、スノーボードブーツのヒール部分を保持するよう構成されるヒールカップを含み、前記第１のロック特徴は、ヒールカップに隣接してハイバックの後ろ表面上に配置される、請求項６３に記載のスノーボードビンデイング。
【請求項６５】
前記第１および第２のロック特徴は移動止めを形成する、請求項６３に記載のスノーボードビンディング。
【請求項６６】
前記第１のロック特徴は、ハイバックの後ろ表面をわたって横方向に延在する引き延ばされた溝を含み、前記第２のロック特徴はキャッチを含み、前記溝は前記キャッチを受けるよう適合される、請求項６５に記載のスノーボードビンディング。
【請求項６７】
前記溝は横方向に第１の長さを有し、前記キャッチは横方向に第２の長さを有し、前記第１の長さは前記第２の長さよりも長く、それにより垂直軸を中心とするベースプレート上のハイバックの横方向の回転に対処する、請求項６６に記載のスノーボードビンディング。
【請求項６８】
前記支持部材は、下部分と、下部分にフォワードリーン軸を中心として回動可能に装着される上部分とを含み、前記フォワードリーン軸は前記搭載軸から離れて位置決めされ、前記第１のロック特徴は下部分に配置される、請求項６３に記載のスノーボードビンディング。
【請求項６９】
上部分に結合されるフォワードリーンアジャスタと、ヒールフープから独立して予め定められたフォワードリーン位置に上部分を維持するための下部分とをさらに含む、請求項６８に記載のスノーボードビンディング。
【請求項７０】
装置であって、
乗り手の脚とインターフェイスし、滑走ボードによって支持可能である滑走ボード構成要素と併せて用いるためのハイバックに搭載可能であるフォワードリーンアジャスタを含み、前記ハイバックは下部分と、下部分によって可動に支持される上部分とを含み、下部分はハイバックを滑走ボード構成要素に搭載するための１対の搭載位置を有し、前記上部分は、ハイバックのフォワードリーンの程度を変化させるために複数の位置において下部分に対して調節可能であり、
前記フォワードリーンアジャスタは、下部分および上部分のうちの１つに回動可能に接続される第１の端部と、前記下部分および上部分の他方に調節可能に固定される第２の端部とを含み、それにより上側部分は、ハイバックのフォワードリーンの程度を固定するための複数の位置のうちの選択された１つに維持される、装置。
【請求項７１】
前記フォワードリーンアジャスタの第１の端部は、下部分に回動可能に接続可能であり、それにより滑走ボード構成要素から独立してハイバックのフォワードリーンの程度を維持する、請求項７０に記載の装置。
【請求項７２】
前記フォワードリーンアジャスタは、上部分に搭載可能である調節可能ブロックと、調節可能ブロックを下部分に結合するよう構築され配置されるリンクとを含む、請求項７１に記載の装置。
【請求項７３】
前記フォワードリーンアジャスタは、下部分に回動可能に接続されるレバーをさらに含み、前記リンクは前記レバーに回動可能に装着され、前記レバーは第１の位置と第２の位置の間で可動であり、レバーが第１の位置に移動された場合に、上部分はフォワードリーン位置を超えてヒール方向に移動することを妨げられ、レバーが第２の位置に移動される場合に、上部分はヒール方向に抑制されず、それにより上部分はフォワードリーン位置を超えて動くことが可能である、請求項７２に記載の装置。
【請求項７４】
前記フォワードリーンアジャスタは、オーバーセンター構成として構成される、請求項７３に記載の装置。
【請求項７５】
スノーボードビンディングであって、
スノーボードブーツを受けるよう構築され配置されるベースプレートを含み、前記ベースプレートはスノーボードに搭載可能であり、前記スノーボードビンディングはさらに
ベースプレートによって支持されるヒールフープを含み、ヒールフープは第１のフォワード面を含み、前記スノーボードビンディングはさらに
乗り手の脚の後ろ部分を支持するよう構築され配置される直立支持部材を含むハイバックを含み、ハイバックは少なくとも直立ライディング位置と倒れた位置との間で搭載軸を中心としてベースプレートに回動可能に搭載され、前記支持部材はハイバックが直立ライディング位置に回動されている場合、実質的に第１の表面と同一高さの平面にある第２のフォワード表面を含み、それによりスノーボードブーツは、ヒールフープと支持部材の第１および第２のフォワード表面と係合する、スノーボードビンディング。
【請求項７６】
前記ヒールフープと前記支持部材とは、ハイバックが直立ライディング位置に回動されている場合、互いに対して入れ子構成に係合するよう構築され配置される、請求項７５に記載のスノーボードビンディング。
【請求項７７】
前記ヒールフープは、直立ライディング位置で支持部材のボトムセグメントを受けるよう適合されるフォワード表面窪みを有する、請求項７６に記載のスノーボードビンディング。
【請求項７８】
前記窪みは第１のフォワード表面よりも上に配置される、請求項７７に記載のスノーボードビンディング。
【請求項７９】
乗り手の脚の後ろ部分を支持するためのハイバックを搭載するためのスノーボードビンディングベースプレートであって、
スノーボードに搭載可能であるベースと、
ベースプレートによって支持されるヒールフープと、
ヒールフープの内面に配置されるロック特徴とを含み、前記ロック特徴は、ハイバックのトウエッジ回動を防ぐためにハイバックの一部と係合するよう構築され配置される、スノーボードビンディング。
【請求項８０】
前記ロック特徴は移動止めを含む、請求項７９に記載のスノーボードビンディングベースプレート。
【請求項８１】
前記ロック特徴はキャッチを含み、前記キャッチは、ハイバックの後ろ表面に設けられる対応の溝と係合するよう構築され配置される、請求項８０に記載のスノーボードビンディングベースプレート。
【請求項８２】
前記ベースは、複数の横方向の位置において横方向の回転に対してハイバックを搭載するよう構築され配置され、ロック特徴は、複数の横位置の各々においてハイバックの一部と係合するよう構築され構成される、請求項７９に記載のスノーボードビンディングベースプレート。
【請求項８３】
ヒールフープを有するスノーボードビンディングベースプレートに搭載可能なハイバックであって、
乗り手の脚の後ろ部分を支持するよう構築され配置される直立支持部材を含み、前記ハイバックは、搭載軸を中心としてベースプレートに回動可能に搭載され、さらに
支持部材の後ろ表面上に配置されるロック特徴を含み、前記ロック特徴は、ハイバックのトウエッジ回動を妨げるためにヒールフープの内面の対応のロック特徴と係合するよう構築され配置される、ハイバック。
【請求項８４】
前記ロック特徴は移動止めを含む、請求項８３に記載のハイバック。
【請求項８５】
前記ロック特徴は、ヒールフープの内面に設けられるキャッチを受けるよう適合される、支持部材の幅をわたって延在する引き延ばされた溝を含む、請求項８４に記載のハイバック。
【請求項８６】
前記ハイバックは、複数の横方向の位置の間で横方向の回転に対してベースプレートに搭載可能であり、前記溝は、横方向の位置の各々においてキャッチを受けるよう構成される、請求項８５に記載のハイバック。
【請求項８７】
前記支持部材は、下部分と、搭載軸から離れたフォワードリーン軸を中心として下部分に回動可能に装着される上部分とを含み、前記ロック特徴は下部分に配置される、請求項８３に記載のハイバック。
【請求項８８】
上部分と下部分とに結合されて、ヒールフープから独立して上部分が予め定められたフォワードリーン位置に維持されるようにするフォワードリーンアジャスタをさらに含む、請求項８７に記載のハイバック。
【考案の詳細な説明】
【０００１】
考案の分野
この考案は一般的に、スノーボードのような滑走スポーツのためのハイバックに関し、より特定的には、独立したフォワードリーン調節を備えたハイバックに関する。
【０００２】
関連技術の説明
ソフトスノーボードブーツのためのスノーボードビンディングシステムは、典型的には乗り手の脚の後ろ側部分によって接触される「ハイバック」（「ローバック」および「スカイバック」としても知られる）と呼ばれる、直立部材を含む。ビンディングまたはブーツに搭載し得るハイバックは、ボードとの間で直接力を伝達するよう支援する梃子として作用し、乗り手が脚の動きによって効率的にボードを制御することを可能にする。たとえば、ハイバックに抗して脚を後ろ側に曲げると、ボードがヒールエッジで立てられ、これに対応するハイバックを介して作用する体重およびバランスにおけるシフトがヒールサイドターンを完了させる。
【０００３】
公知のハイバックは、一般的に直立支持部材を含み、これはビンディングまたはブーツの長手軸を横切る搭載軸に沿ったヒール−トウ方向において、ハイバックを回動可能に搭載するために用いられる１対の横方向の耳で形成される。ある例においては、バートン・コーポレーションに譲渡された米国特許第５，３５６，１７０号に開示されるように、ビンディングのボードに対する特定のスタンス角度に対処するよう、ハイバックは実質的に垂直の軸を中心とした横方向の回転に対しても搭載可能である。
【０００４】
スノーボードの乗り手の脚は一般的に、バランス、制御、および、特にジャンプの着地の際に乗り手の膝がよく衝撃を吸収するよう曲げられていることを確実にするために、ハイバックによってボートに対して前傾角度に保持される。乗り手の脚をそのようなスタンスに保持するために、ハイバックは典型的にはボードに対して「フォワードリーン」と呼ばれる位置に傾けられる。フォワードリーンの所望の程度は、ハイバックをトウ方向に搭載軸を中心として回動させ、かつハイバックの背部に沿ってフォワードリーンアクチュエータの位置を調節し、それによりハイバックがビンディングの一部、典型的にはヒールフープと係合して、ハイバックが所望のフォワードリーン角度を超えてヒール方向へ動くことを防ぐことにより、設定される。
【０００５】
乗り手は、ハイバックを直立したライディング位置にロックして、ボードに対するトウエッジ移動を防ぎ、ボードの反応を向上させることが望ましいことを見出し得る。ハイバックのトウエッジ移動を防ぐためのロック装置を組み入れたビンディングの例は、バートン・コーポレーションに譲渡された米国特許第６，０２７，１３６号に記載される。
【０００６】
この考案の目的は、改良されたハイバックを提供することである。
考案の概要
この考案の１つの例示的な実施例においては、滑走ボードビンディング、ブーツまたはビンディングインターフェイスなどの、乗り手の脚とインターフェイスし、滑走ボードによって支持可能である構成要素と併せて用いるためのハイバックが提供される。ハイバックは、乗り手の脚の後ろ部分を支持するよう構築され配置される直立支持部材を含む。支持部材は、下部分と、下部分によって可動に支持される上部分とを含む。下部分は、ハイバックを搭載軸を中心として滑走ボードに搭載するよう構築され配置される。上部分は、ハイバックのフォワードリーンの程度を変化させるために、複数の位置において下部分に対して調節可能である。ハイバックはさらに、上部分に装着されて、上部分を複数の位置の中の選択された１つに維持して、ハイバックのフォワードリーンの程度を調整する、フォワードリーンアジャスタをさらに含む。
【０００７】
この考案の別の例示的な実施例においては、ハイバックは支持部材の上部分および下部分に結合されるライド／リラックスアクチュエータを含む。ライド／リラックスアクチュエータは、ライドモードおよびリラックスモードを有する。ライドモードにおいては、上部分は下部分に対して予め定められたフォワードリーン位置に固定されて、ヒール方向へのフォワードリーンポジションを超える脚の動きを防ぐことにより、ヒール方向への脚の動きがハイバックを通して滑走ボード構成要素に伝達される。リラックスモードにおいては、上部分は下部分に対して抑制されておらず、それによりフォワードリーン位置を超えたヒール方向への脚の動きが可能になる。
【０００８】
この考案のさらなる実施例においては、スノーボードブーツをスノーボードに固定するためのビンディングが提供される。ビンディングは、スノーボードに搭載可能でありかつスノーボードを受けるよう構築され配置されるベースプレートと、ベースプレートによって支持されるヒールフープと、搭載軸を中心としてべ一スプレートに回動可能に搭載されるハイバックとを含む。ハイバックは、乗り手の脚の後部分を支持するよう構築され配置される直立支持部材を含む。支持部材は、搭載軸を中心としてベースプレートに回動可能に搭載され、かつブーツのヒール部分を保持するよう構成されるヒールカップを有する下部分を含む。支持部材はさらに、フォワードリーン軸を中心として下部分によって回動可能に支持されて、ハイバックのフォワードリーンの程度を変化させる上部分を含む。フォワードリーン軸は搭載軸から離れて、ヒールフープの近傍に位置決めされる。
【０００９】
この考案の別の例示的な実施例においては、スノーボードブーツをスノーボードに固定するためのスノーボードビンディングが提供される。ビンディングは、スノーボードに搭載可能であり、かつスノーボードブーツと、ベースプレートによって支持されるヒールフープと、ベースプレートに回動可能に搭載されるハイバックとを受けるよう構築され配置されるベースプレートを含む。ハイバックは、乗り手の脚の後部分を支持するよう構築され配置される直立支持部材を含む。スノーボードビンディングはさらに、ハイバックの上に配置される第１のロック特徴と、ハイバックに隣接するヒールカップの内面に配置される第２のロック特徴とを含み、第２のロック特徴は第１のロック特徴と係合するよう構築され配置され、ハイバックのトウエッジ回動を防ぐ。
【００１０】
この考案のさらなる例示的な実施例においては、乗り手の脚とインターフェイスし、かつ滑走ボードによって支持可能である滑走ボード構成要素と併せて用いるためのハイバックに搭載可能であるフォワードリーンアジャスタが提供され、ハイバックは、下部分と、下部分によって可動に支持される上部分とを含み、下部分はハイバックを滑走ボード構成要素に搭載するための１対の搭載位置を有し、上部分は、ハイバックのフォワードリーンの程度を変化させるための複数の位置において、下部分に対して調節可能である。フォワードリーンアジャスタは、下部分および上部分のうちの一方に回動可能に接続できる第１の端部と、下部分および上部分のうちの他方に調節可能に固定される第２の端部とを含み、上部分を、複数の位置のうちの選択された１つに維持してハイバックのフォワードリーンの程度を固定する。
【００１１】
この考案の別の例示的な実施例においては、スノーボードビンディングが提供され、スノーボードビンディングは、ベースプレート、ベースプレートによって支持されるヒールフープ、および少なくとも直立したライディング位置と倒された位置との間で搭載軸を中心として回動可能にベースプレートに搭載されるハイバックとを含む。ベースプレートはスノーボードブーツを受けるように構築され配置され、かつスノーボードに搭載可能である。ヒールフープは、第１のフォワード面を含む。ハイバックは、乗り手の脚の後部分を支持するよう構築され配置される直立支持部材を含む。支持部材は、第２のフォワード面を含み、これはハイバックが直立ライディング位置に回動された場合に、スノーボードがヒールフープおよび支持部材の第１および第２のフォワード面と係合するよう、第１のフォワード面と実質的に同一高さの平面にある。
【００１２】
この考案のさらなる例示的な実施例においては、乗り手の脚の後部分を支持するためのハイバックを搭載するために、スノーボードビンディングベースプレートが提供される。ビンディングベースプレートは、スノーボードに搭載可能であるベース、ベースプレートによって支持されるヒールフープ、およびヒールフープの内面に配置されるロック特徴を含む。ロック特徴は、ハイバックの一部と係合するよう構築され配置され、ハイバックのトウエッジの回動を防ぐ。
【００１３】
この考案の別の例示的な実施例においては、ヒールフープを有するスノーボードビンディングベースプレートに搭載可能であるハイバックが提供される。ハイバックは、搭載軸を中心としてベースプレートに回動可能に搭載される。ハイバックは、乗り手の脚の後部分を支持するよう構築され配置される直立支持部材と、支持部材の後表面に配置されるロック特徴とを含む。ロック特徴は、ヒールフープの内面における対応のロック特徴と係合するよう構築され配置され、ハイバックのトウエッジの回動を防ぐ。
【００１４】
この考案は、同様の参照符号が同様の特徴を示す添付の図面と併せて、この考案の例示的な実施例の以下の詳細な説明を参照することにより、よりよく理解されるであろう。
【００１５】
詳細な説明
この考案は、乗り手の脚の動きを通して、スノーボードのような滑走ボードを制御するためのハイバックに向けられる。ハイバックは、乗り手の脚とインターフェイスし、かつ滑走ボードによって支持可能である、滑走ボードビンディング、ブーツまたはビンディングインターフェイスのような構成要素とともに用い得る。ハイバックは直立支持部材を含み、直立支持部材は、下部分に対して可動に搭載されてハイバックの所望のフォワードリーンを設定する上部分を含む。支持部材は、ハイバックを滑走ボード構成要素に搭載するための１対の搭載位置を含み得る。
【００１６】
ハイバックは、上部分が予め定められたフォワードリーン位置を超えてヒール方向に動くことを防ぐ、フォワードリーンアジャスタを含み得る。フォワードリーンアジャスタは、滑走ボード構成要素から独立して、上部分を選択されたフォワードリーン位置に維持し得る。
【００１７】
ライド／リラックス特徴は、ハイバックが予め選択されたフォワードリーン位置に固定されるライドモードか、またはハイバックが抑制されずそれにより脚の動きがフォワードリーン位置を超えてヒール方向に動くことが可能であるリラックスモードのいずれかに、乗り手がハイバックを配置することを可能にするために設けられる。ライド／リラックス特徴は、ハイバックをフォワードリーン設定に影響を与えることなくリラックスモードに配置することにより、ハイバックがライドモードに配置された場合に予め選択されたフォワードリーン位置に戻ることができる態様で、フォワードリーンアジャスタと組合せることができる。
【００１８】
ロック構成もまた提供され、これはハイバックを直立ライディング位置にロックして、向上したボード反応のためにボードに対するトウエッジ移動を防ぐ。ロック構成は、ハイバックの下部分をビンディングのヒールフープにロックする移動止め構造を含み得る。
【００１９】
図１から図３に示す１つの例示的な実施例においては、ハイバック２０は、直立支持部材２２と、支持部材の両側に配置される１対の横方向の耳２４とを含む。横方向の耳２４は搭載位置を提供し、これはスノーボードビンディング、スノーボードブーツまたはビンディングインターフェイスのような滑走ボード構成要素に、ハイバックを搭載軸２６に沿って回動可能に搭載するために用いられ得る。横方向の耳２４は、ハイバックのための特定の搭載構成に好適であるいかなる形状をも有するよう構成され得る。
【００２０】
支持部材２２は好ましくは、ブーツの形状と適合する輪郭構成を有する。支持部材２２は、ヒールカップ２９を備えた下部分２８を含み、これはブーツのヒール部分を掴み保持するよう構成される。支持部材２２はまた、ボードのターンと制御のためのヒールサイドの支持を提供するために、乗り手の脚の後部分に沿って延在し、かつこれによって接触されるよう構成される上部分３０をも含む。ハイバックの内面は、ヒールの保持を向上させ、衝撃を吸収し、ブーツおよび脚に圧力を分散させることを容易にするための、１つ以上の柔軟性のあるパッド３２、３４を含み得る。
【００２１】
ハイバックの上部分３０は、下部分から独立したハイバックのフォワードリーンの調節を可能にするよう、ヒールートウ方向において調節可能である。より特定的には、ハイバックのフォワードリーンは、ハイバックの搭載軸２６を中心とする下部分２８の付随する運動なしに調節することができる。したがって、下部分２８は向上したヒールの押え付けのためにブーツの形状にぴったりと適合するヒールカップ２９を含み得るが、これは公知のハイバックのフォワードリーン調節に典型的に付随する下部分の上下または回動運動を参酌するようヒールカップを構成する必要がないためである。
【００２２】
上部分３０は、ハイバックの搭載軸２６から離れたフォワードリーン軸３６を中心として下部分２８によって可動に支持される。この考案の一つの例示的な実施例においては、ハイバック２０は、上部分３０の回動、回転またはフォワードリーン軸３６を中心とする下部分２８に対する他の曲げを可能にする、丁番付け構成を含む。しかしながら、上部分はいかなる適切な構成をも用いて下部分によって調節可能に支持され得ることを理解されたい。
【００２３】
一つの例示的な実施例においては、上部分３０は、ハイバックに一体化して形成される一体型丁番３８構成を用いて下部分２８に可動に接続される。示されるように、ハイバックには、上部分と下部分との間で背面部材の実質的な幅をわたって延在するスロットのような開口４０が設けられる。一体型丁番３８は、上部分３０と下部分２８とを相互接続する背面部材２２の両側のエッジのセグメントによってスロットの端部の各々に形成される。拡大された開口４２をスロット４０の両端に設けて、柔軟性を向上させ、したがって上部分の下部分に対する調節性を向上させてもよい。ハイバックのフォワードリーンを調節するために望まれる特徴を達成するために、いかなる好適な構成された開口をも用い得ることを理解されたい。
【００２４】
図４に示される別の例示的な実施例においては、上部分３０と下部分２８とは互いに対して機械的ファスナー４４を用いて丁番付けにされることができ、機械的ファスナー４４は、上部分の下部分に対する回動またはその他の運動を可能にしてフォワードリーン調節を容易にする、ピン、リベット、ブラケットなどのようなものである。別の実施例においては、機械的ファスナーは上部分および下部分と一体化して形成されてもよい。そのような構成は、上部分と下部分とを異なった材料から製造することが所望である場合に好適であろう。
【００２５】
上部分３０と下部分２８との間のフォワードリーン調節を達成するために、ハイバックに他のジョイントまたは丁番型構成を実現することが企図され得る。たとえば、上部分と下部分との間に多数の開口を設けることができる。開口に代えて、または開口に加えて、一体型丁番構成は、選択された位置において背面部材２２の厚さまたは表面のテクスチャを変化させることにより達成し得る。上部分と下部分との間の調節性はまた、さまざまな構成部材または、リブもしくは溝などのリリーフを用いることにより実現化され得る。
【００２６】
ハイバック２０のフォワードリーンは、上部分が予め定められたフォワードリーン位置を超えてヒール方向に移動することを防ぐフォワードリーンアジャスタを用いて設定され得る。図５および図６に示す一つの例示的な実施例においては、フォワードリーンアジャスタ４６はハイバックの上部分３０に結合されて、選択されたフォワードリーン位置に上部分を下部分に対して維持する。フォワードリーンアジャスタの上側端部４８は上部分３０に接続され、フォワードリーンアジャスタの下側端部５０は下側部分２８の一部と係合し、ビンディングのような滑走ボード構成要素から独立してハイバックのフォワードリーンを設定する。示されるように、フォワードリーンアジャスタの下側端部５０は、下側部分２８と接続されてハイバックのねじり力に対するスティフネスを増大させ得る。
【００２７】
ハイバックのフォワードリーンは、フォワードリーンアジャスタ４６の上側端部４８と、背面部材の上部分３０との間の接続点を調節することにより、および／または、フォワードリーンアジャスタの下側端部５０とハイバックの下部分２８との間の係合点を調節することにより、選択し得る。一実施例においては、フォワードリーンアジャスタ４６は、ねじ、ピンのような、手早く便利なフォワードリーン調節のための道具不要のファスナーを含む、いずれかの好適なファスナー５４を用いて複数の位置で上部分に固定することのできる調節可能ブロック５２を含む。上部分３０のフォワードリーンは、ブロック５２が下部分２８の方向に向かって下方向へ移動するにつれ増大する。
【００２８】
ハイバックのフォワードリーンを調節するために他の構成をも用い得ることを理解されたい。図７に示す実施例においては、ブロック５２は背面部材の下部分２８に回動可能に接続され得る。図８に示される別の実施例においては、ブロック５２は開口４０をわたって延在し、かつビンディングのヒールフープ５６上に直接作用するよう構成される。図９に示すさらなる実施例においては、フォワードリーンアジャスタ４６は、フォワードリーンの程度を調整するために、その上側端部と下側端部との接続点の間の距離を増減できるよう伸長および格納されるよう構成される。
【００２９】
ハイバック２０は、ハイバックのフォワードリーンを設定するためのフォワードリーンアジャスタの少なくとも一部を受けるよう構成されるフォワードリーン搭載部５８を含み得る。図１に示す一つの例示的な実施例においては、搭載部５８は上部分３０の下側端部で支持部材２２の柱６０に沿って一体化して形成される。示されるように、搭載部は上部分３０上の窪み６２内に配置され、これはフォワードリーンアジャスタを受けるように形成され、かつ形状にぴったりと適合するよう形成される。この入れ子構成は、乗り手によって与えられるねじれ力に抵抗するためのハイバック２０のスティフネスを増大させるよう作用する。
【００３０】
フォワードリーン搭載部５８には、フォワードリーンアジャスタを調節可能に支持するよう適合される調節特徴が設けられ得る。一実施例においては、搭載部５８には引き延ばされたスロット６４が設けられ、これに沿って調節可能ブロック５２はハイバックのフォワードリーンを設定するよう位置決めされ得る。しかしながら搭載部５８には、スロットの代わりに、またはこれと併せて、フォワードリーンアジャスタの調節を容易にするための一連の間隔をあけた孔のような他のいかなる構造または特徴をも設けてもよい。
【００３１】
フォワードリーン搭載部５８にはまた、搭載部の長さに沿って複数のロック要素６６が設けられて、所望のフォワードリーン位置にフォワードリーンアジャスタを係合させかつ維持する。一実施例においては、ロック要素６６は、スロット６４の両側に延在する歯のラックを含み得る。しかしながら、ロック要素６６はフォワードリーンアジャスタの対応する特徴と係合するための、ピン、ホールなどのいかなる好適な構造または特徴をも含み得ることに留意されたい。
【００３２】
ハイバック２０はまた、乗り手がハイバックをライドモードまたはリラックスモードのいずれかに配置することができる、ライド／リラックスアクチュエータを含み得る。ライドモードにおいては、ハイバックは、フォワードリーン位置を超えたヒール方向への脚の動きを妨ぐための予め選択されたフォワードリーン位置に設定される。リラックスモードにおいては、ハイバックは抑制されす、フォワードリーン位置を超えたヒール方向への脚の動きが可能になる。
【００３３】
図５および図６、ならびに図１０および図１１に示す一つの例示的な実施例においては、ライド／リラックスアクチュエータは、フォワードリーンアジャスタ４６と一体化される。ライド／リラックスアクチュエータは、アクチュエータが誤ってライドモードを解除しないことを確実にするためのオーバーセンター構成におけるリンク７０で調節可能ブロック５２に結合されるレバー６８を含む。レバー６８は、第１の端部７１を含み、これは第１の軸７２に沿って背面部材の下部分２８に回動可能に接続され、レバー６８はさらに第２の端部７４を含み、これは乗り手によって、レバーを第１の軸を中心として起動するために握られるよう構成される。リンクの第１の端部７８は、レバーの両端の間に位置決めされる第２の軸８０を中心としてレバー６８に回動可能に接続される。リンクの第２の端部８２は、第３の軸８４を中心として調節可能ブロック５２に回動可能に接続される。レバー６８およびリンク７０は、ピン、スクリュー、リベットなどのいずれかの好適なファスナーを用いて、それぞれの軸を中心として回動可能に接続され得る。
【００３４】
フォワードリーン角度は、ブロック５２を所望の位置においてフォワードリーン搭載部５８に調節し固定することにより選択され得る。ハイバック２０は、上部分に向けて第１の軸７２を中心としてレバー６８を起動することによりライドモードに配置され、それによりリンク７０は第１および第３の軸７２、８４を第１の距離に引き離し、それにより背面部材の上部分３０をトウ方向に、かつフォワードリーン位置に駆動する。ハイバック２０は、上部分から離れるよう第１の軸７２を中心としてレバー６８を起動することによりリラックスモードに配置され、それにより第１および第３の軸７２、８４は第１の距離よりも短い第２の距離に引き離され、それにより上部分３０がフォワードリーン位置を超えてヒール方向に移動することを可能にする。
【００３５】
力はハイバックを通してボードとの間で伝達され、乗り手が脚の動きを通してボードを効率的に制御することを可能にする。図１、図５および図６に示す一つの例示的な実施例においては、背面部材の下部分２８は、後方向に延在する当接部８６を含み、これはヒールフープ５６などのビンディングの一部と係合するよう構成され、力をハイバックからビンディングに伝達する。示されるように、当接部８６は開口４０に隣接して下部分２８の上側端部の近傍に位置決めされる。フォワードリーンアジャスタの下側端部５０は当接部８６に接続されて、背面部材の上部分３０に抗して作用する力がフォワードリーンアジャスタ４６を通して当接部へ、かつヒールフープへ伝達される。
【００３６】
一つの例示的な実施例においては、当接部８６は、背面部材の実質的な幅をわたって横方向に延在する引き延ばされたリップを含み、ヒールフープと係合する。引き延ばされたリップは、ヒールフープの限定された部分に力を与える構成に比べて、ハイバックに抗して作用する力をヒールフープの比較的大きな部分にわたって分散させることにより、ヒールフープにおける応力を減じる。この構成は、より集中した力を支持する類似するヒールフープと比較すると、より薄い構造にヒールフープ５６を構築することが可能である。より薄いヒールフープは、ヒールフープの後表面を乗り手のヒールに近づけることによりヒールサイドターンの間におけるビンディングと雪との接触の可能性を減じるので、乗り手のヒールの後をわたって延在するビンディングの距離を減じることができる。しかしながら、当接部は力をヒールフープに伝達することができ、係合することができるいかなる好適な態様においても構成され得ることを理解されたい。
【００３７】
ハイバック２０にはビンディングの対応のロック特徴と係合するロック特徴が設けられ、ハイバックを直立したライディング位置にロックし、向上したボードの反応のために、ライディングの際のトウ方向へのハイバックのボードに対する回動などのトウサイド移動を防ぐ。図１および図１２に示す例示的な実施例においては、ハイバック２０とビンディングとの間に移動止め構成が用いられ、これは乗り手がハイバックを容易にライディング位置にスナップ着脱することを可能にする。示されるように、移動止めは、下部分２８の後面をわたって横方向に延在する引き延ばされた溝９０と、総じてビンディングのヒールフープ５６の内面からトウ方向において延在する対応のキャッチ９２とを含む。溝９０およびキャッチ９２はボードに対して実質的に垂直軸を中心として、ハイバックの横方向の回転を可能にするよう構成され得る。
【００３８】
ハイバック２０が直立ライディング位置（図１２）に回動する場合、キャッチ９２は溝９０内で受けられて、ハイバックの下部分２８がトウ方向に搭載軸２６を中心として回動することを抑制し、それによりハイバックのトウエッジ移動を防ぐ。ハイバックは、乗り手のブーツがビンディングから取外された場合に、キャッチ９２を溝から外すのに十分な力でハイバックを押すかまたは引くことにより、前方に回転させて輸送または保管のために倒れた位置にすることができる。
【００３９】
ハイバック２０の横方向の回転に対処するために、キャッチ９２の長さは横方向において溝９０の長さよりも短い。一実施例においては、キャッチ９２の長さは、溝９０の長さの約３分の１である。しかしながら、所望の程度の横方向の回転に対処するために、いかなる好適な構成をも実現し得ることを理解されたい。
【００４０】
トウエッジ移動を防ぐための移動止め構成を用いることにより、ビンディングの後部分から突き出してヒールサイドターンの間には雪と接触するおそれのある外部の構造なしにハイバックおよびヒールフープ構造を設けることにより、乗り手のヒールの後で後方に延在するビンディングの距離を減じることができる。
【００４１】
ビンディングが乗り手のヒールを超えて後方に延在する距離は、ハイバックをヒールフープの中に入れ子状にすることによっても減じられるであろう。図１２に示されるように、窪み９４がキャッチ９２の下にヒールカップ５６に設けられ、背面部材の下部分２８のボトムセグメント９４を受ける。窪み９４は、ボトムセグメント９６を受けるよう構成され、それにより下部分２８およびヒールフープ５６のフォワード面９５、９７はそれぞれ、互いに対して実質的に同一高さの平面であり、乗り手のヒールとヒールフープとの間のハイバックの厚みが実質的になくなるので、ヒールフープが乗り手のヒールに向かってぴったりと引付けられることが可能になる。下部分のボトムセグメントの下で、柔軟性のあるパッド９９をヒールフープ表面９７に設けて、ブーツとヒールフープとの間のヒールの保持を向上させてもよい。
【００４２】
ハイバック２０は、乗り手からボードへの効率的な力伝達が可能である、ポリカーボネート、ポリウレタン、ポリオレフィン、ポリウレタン、ナイロンなどのプラスチック材料を含む、いかなる適切な材料で形成されてもよい。ハイバックのための好適な材料の一例は、デラウェア州ウィルミントンのモンテル・ポリオレフィン（Montell Polyolefins）から入手可能である、ヒバロイ（Hivalloy）樹脂である。フォワードリーンアジャスタ構成要素は、アルミニウムなどの剛性のある、強靭な材料で形成し得る。
【００４３】
ハイバックは、プラスチック材料から一体構造として射出成形されてもよい。一実施例においては、ハイバックは下部分に対して最小限のフォワードリーン角度に配置される上部分と成形される。この態様で、上部分はハイバックがリラックスモードに配置された場合に、最小限のフォワードリーン角度に戻りやすくなる。
【００４４】
また、ハイバックを２つ以上の材料から形成して、ハイバックをわたるスティフネスの程度を変化させることも企図される。たとえば、力伝達を確実にするために支持部材の上部分３０において高い程度の剛性が所望である一方、ハイバックのスノーボード構成要素上の横方向の回転を容易にするために、ハイバックの下側領域においてはより柔軟であることが好ましいこともある。一実施例においては、上部分は軽量の、剛性のある複合材料から形成され、下部分は柔軟性のあるプラスチックから形成され得る。好適な複合材料の一例は、ドイツのトロシンゲン（Trossingen）のボンド・ラミネーツ（Bond-Laminates）から入手可能であるＴＥＰＥＸFlowcoreを含む。他の好適な材料はセルストラン（CELSTRAN）などの繊維強化プラスチックを含み得る。
【００４５】
上にいくつかの実施例が説明されたが、ハイバックは当業者においては明らかであるであろういかなる好適な製造プロセスをも用いて、いかなる好適な材料によっても製造可能であることを理解されたい。
【００４６】
この考案に従ったハイバック２０は、ヒールサイドの支持によって利益を得るであろう、スノーボードのようないかなる滑走ボード活動にも用い得る。しかしながら理解を助けるために、かつこの考案の範囲を狭めることなく、この創意に富むハイバックをスノーボードビンディングに関連して以下に説明する。
【００４７】
図１３に示す例示的な実施例においては、スノーボードビンディング１００はスノーボード１０４に搭載可能であるベースプレート１０２と、ブーツ（図示せず）をスノーボードに固定するためにベースプレートに装着される、好ましくは調節可能ストラップである、１つ以上のビンディングストラップとを含む。ハイバック２０は、ベースプレート１０２のサイドウォールに回動可能に搭載される。示されるように、ビンディング１００は、乗り手のヒールを押え付けるためにブーツの足首部分をわたって延在する足首ストラップ１０６と、ブーツのフロント部分を押え付けるよう延在するトウストラップ１０８とを含む。しかしながら、ビンディング１００は他のストラップ構成をも用い得ることを理解されたい。
【００４８】
しかしながら、この考案のハイバック２０は、いかなる特定の種類のビンディングにも限定されるものではない。ハイバックは、スノーボードブーツ上に直接または間接的に設けられる、対応の特徴と係合するロック機構を含むステップインスノーボードビンディングでも実現され得る。図１４における一実施例に示されるように、ハイバック２０は上述のビンディングと同様の態様でビンディングベースプレート１２０に搭載され得る。ベースプレート１２０に搭載されるのは、１対の可動係合部材１２２であり、その各々が１対の間隔をあけられた係合ローブ１２４を含み、これらはブーツ１３０（点線で示す）のビンディングインターフェイス１２８に設けられる対応の窪み１２６と嵌め合うよう適合される。可動係合部材１２６の各々はまた、トリガ１３２を含み、これはビンディングインターフェイスがベースプレートに配置された場合に係合ローブ１２４と窪み１２６とを係合させる。
【００４９】
図１４に示される特定のビンディングは、ここに引用により援用される米国特許出願番号第０８／７８０，７２１号に詳細に説明される。また引用により援用される、ハイバックを組入れることができる代替的なステップインビンディングは、米国特許第５，７２２，６８０号に記載される。
【００５０】
別の実施例においては、この考案のハイバック２０は、スノーボードブーツに永久的に装着されるか、または取外し可能である。取外し可能なハイバックは、既にビンディングベースプレートに搭載されたハイバックを含むビンディングシステムでブーツを実現することを可能にすることにより、システムに柔軟性を与える。図１５に示されるように、ハイバック２０はブーツ１４０のヒール領域に可動に搭載される。横方向の耳２４は好ましくは、ブーツの足首部分の下に装着されて、所望の横方向の脚の回転を可能にする横方向またはサイドからサイドへのブーツの柔軟性を容易にする。横方向の耳２２は、横方向の耳の各々を通過する、ねじ、リベットなどのいかなる好適なファスナー１４２をも用いて、好ましくは補強された装着点でブーツに装着され得る。
【００５１】
この考案の別の局面においては、ハイバック２０はブーツをビンディングにインターフェイスさせるための取外し可能なビンディングインターフェイスシステムで実現化される。図１６の一実施例に示されるように、インターフェイス１５０は本体１５２と、点線で示されるブーツ１５６の足首部分をわたって配置される少なくとも１つの調節可能ストラップ１５４とを含む。ハイバック２０は、インターフェイス本体１５２のサイドウォールに、ハイバックの横方向の耳２４を通過する好適なファスナー１５５を用いて可動に搭載される。インターフェイスの本体１５２は、当業者においては明らかであるように１つ以上の嵌め合い特徴１５８を含み、これはビンディング１６２の対応の係合部材１６０と係合するよう適合される。
【００５２】
図１６に示される特定のビンディングインターフェイス１５０およびビンディング１６２は、ここに引用により援用する米国特許出願番号第０９／０６２，１３１号に詳細に説明される。
【００５３】
理解を助けるために、かつこの考案の範囲を限定することなく、この実用新案が扱うこの創意に富むハイバックは、特にスノーボードとともに用いられるブーツまたはビンディングに関連して説明された。しかしながら、この考案は他の種類の滑走ボードに関連しても用いることができる。こうして、この考案の目的に対しては、「滑走ボード」は総じて、一般的に乗り手が表面上を移動することを可能にする、スノーボード、スノースキー、ウォータースキー、ウェイクボード、サーフボードおよび他のボード型の装置のような、平面上を滑走するために特に構成されたボードを指す。
【００５４】
この考案のいくつかの実施例を詳細に説明してきたが、当業者においてはそのさまざまな変形例および改良点が容易に想起されるであろう。そのような変形例および改良点は、この考案の精神および範囲内にあるものと意図される。したがって、上述の説明は例示のみであり、限定するものとは意図されない。この考案は、前掲の実用新案登録請求の範囲およびその等価物によってのみ限定される。
【図面の簡単な説明】
【図１】この考案の１つの例示的な実施例に従った、ハイバックの後面図である。
【図２】図１のハイバックの側面図である。
【図３】図１のハイバックの正面斜視図である。
【図４】この考案の別の例示的な実施例に従った、ハイバックの部分側面図である。
【図５】ライドモードにおけるハイバックを示す、図１のハイバックの後面斜視図である。
【図６】リラックスモードにおけるハイバックを示す、図１のハイバックの後面斜視図である。
【図７】フォワードリーンアジャスタのための代替的な実施例を示す、図１のハイバックの側面図である。
【図８】フォワードリーンアジャスタのための代替的な実施例を示す、図１のハイバックの側面図である。
【図９】フォワードリーンアジャスタのための代替的な実施例を示す、図１のハイバックの側面図である。
【図１０】リラックスモードにおける、１つの例示的な実施例に従った、フォワードリーンアクチュエータの概略図である。
【図１１】ライドモードにおける、１つの例示的な実施例に従った、フォワードリーンアクチュエータの概略図である。
【図１２】トウエッジ移動を防ぐための、ハイバックに対するロック構成の１つの例示的な実施例を示す図１の破断線１２−１２に沿った断面図である。
【図１３】この考案の別の局面に従った、スノーボードビンディングの例示的な実施例に組込まれた、ハイバックの斜視図である。
【図１４】この考案の別の局面に従ったステップインスノーボードビンディングの例示的な実施例に組入れられた、ハイバックの斜視図である。
【図１５】この考案のさらなる局面に従った、スノーボードブーツシステムの例示的な実施例に組入れられた、ハイバックの側面図である。
【図１６】この考案の別の局面に従った、取外し可能なビンディングインターフェイスの例示的な実施例に組入れられた、ハイバックの斜視図である。
【図１】
0003107853.tif 000002
【図２】
0003107853.tif 000003
【図３】
0003107853.tif 000004
【図４】
0003107853.tif 000005
【図５】
0003107853.tif 000006
【図６】
0003107853.tif 000007
【図７】
0003107853.tif 000008
【図８】
0003107853.tif 000009
【図９】
0003107853.tif 000010
【図１０】
0003107853.tif 000011
【図１１】
0003107853.tif 000012
【図１２】
0003107853.tif 000013
【図１３】
0003107853.tif 000014
【図１４】
0003107853.tif 000015
【図１５】
0003107853.tif 000016
【図１６】
0003107853.tif 000017
【手続補正書】
【提出日】平成13年12月21日(2001.12.21)
【手続補正１】
【補正対象書類名】明細書
【補正対象項目名】実用新案登録請求の範囲
【補正方法】変更
【補正の内容】
【実用新案登録請求の範囲】
【請求項１】
乗り手の脚とインターフェイスし、滑走ボードによって支持可能である滑走ボード構成要素と併せて用いるためのハイバックであって、
乗り手の脚の後ろ部分を支持するよう構築され配置される直立支持部材を含み、前記支持部材は、下部分と、前記下部分によって可動に支持される上部分とを含み、前記下部分はハイバックを搭載軸を中心として滑走ボード構成要素に搭載するよう構築され配置され、前記上部分は、ハイバックのフォワードリーンの程度を変化させるために複数の位置において下部分に対して調節可能であり、ハイバックはさらに
フォワードリーンアジャスタを含み、前記フォワードリーンアジャスタは前記上部分に装着されて・ハイバックのフォワードリーンの程度を固定するために上部分を複数の位置のうちの選択された１つに維持する、ハイバック。
【請求項２】
前記フォワードリーンアジャスタは、滑走ボード構成要素から独立して、ハイバックのフォワードリーンの程度を維持するために下部分に結合される、請求項１に記載のハイバック。
【請求項３】
フォワードリーンアジャスタは、下部分に回動可能に接続される、前記請求項のいずれかに記載のハイバック。
【請求項４】
前記フォワードリーンアジャスタは、上部分に搭載される調節可能ブロックと、調節可能ブロックを下部分に結合するリンクとを含む、請求項４に記載のハイバック。
【請求項５】
前記フォワードリーンアジャスタは、下部分に回動可能に接続されるレバーをさらに含み、前記リンクはレバーに回動可能に装着され、前記レバーは第１の位置と第２の位置との間で可動であり、前記上部分は、レバーが第１の位置に移動した場合にフォワードリーン位置を超えてヒール方向に移動することを妨げられ、前記上部分は、レバーが第２の位置に移動した場合にヒール方向に抑制されず、上部分の移動がフォワードリーン位置を超えることが可能になる、前記請求項のいずれかに記載のハイバック。
【請求項６】
前記フォワードリーンアジャスタは、オーバーセンター構成として構成される、前記請求項のいずれかに記載のハイバック。
【請求項７】
乗り手の脚とインターフェイスし、滑走ボードによって支持可能である滑走ボード構成要素と併せて用いるためのハイバックであって、
乗り手の脚の後ろ部分を支持するよう構築され配置される直立支持部材を含み、前記支持部材は、下部分と、前記下部分によって可動に支持される上部分とを含み、前記下部分はハイバックを搭載軸を中心として滑走ボード構成要素に搭載するよう構築され配置され、前記上部分は、ハイバックのフォワードリーンの程度を変化させるために複数の位置において下部分に対して調節可能であり、ハイバックはさらに
前記支持部材に結合されるライド／リラックスアクチュエータを含み、前記ライド／リラックスアクチュエータはライドモードとリラックスモードとを有し、ライド／リラックスアクチュエータがライドモードに置かれた場合には、前記上部分は下部分に対して予め定められたフォワードリーン位置に固定され、脚の動きがフォワードリーン位置を超えてヒール方向に移動することを防いで、ヒール方向への脚の動きがハイバックを通して滑走ボード構成要素に伝わり、ライド／リラックスアクチュエータがリラックスモードに置かれた場合には、上部分は下部分に対して抑制されておらず、それによりフォワードリーン位置を超えたヒール方向への脚の動きが可能になる、ハイバック。
【請求項８】
前記ライド／リラックスアクチュエータは、ライドモードに置かれた場合、滑走ボード構成要素から独立して、ハイバックのフォワードリーンの程度を維持する、請求項７に記載のハイバック。
【請求項９】
前記ライド／リラックスアクチュエータは、下部分に回動可能に接続される、請求項７または請求項８のいずれかに記載のハイバック。
【請求項１０】
ライド／リラックスアクチュエータは、予め定められたフォワードリーン位置を調節するための上部分に搭載される調節可能ブロックと、調節可能ブロックを下部分に結合するリンクとを含む、請求項７から請求項９のいずれかに記載のハイバック。
【請求項１１】
ライド／リラックスアクチュエータはさらに、下部分に回動可能に接続されるレバーを含み、前記リンクは前記レバーに回動可能に装着され、前記レバーは、上部分をそれぞれライドモードとリラックスモードとに配置するために第１の位置と第２の位置との間において可動である、請求項１０に記載のハイバック。
【請求項１２】
ライド／リラックスアクチュエータは、オーバーセンター構成として構成される、請求項７から請求項１１のいずれかに記載のハイバック。
【請求項１３】
前記上部分は、搭載軸から離れたフォワードリーン軸を中心として、下部分に回動可能に装着される、前記請求項のいずれかに記載のハイバック。
【請求項１４】
上部分と下部分とは一体構造として統合して形成され、上部分は少なくとも一体型丁番によって下部分に回動可能に接続される、前記請求項のいずれかに記載のハイバック。
【請求項１５】
前記支持部材は上部分と下部分との間に横方向に延在する開口を有し、前記少なくとも１つの一体型丁番は、開口の両側に配置される１対の一体型丁番を含む、請求項１４に記載のハイバック。
【請求項１６】
前記開口は、前記支持部材を通って延在する引き伸ばされたスロットを含む、請求項１５に記載のハイバック。
【請求項１７】
前記上部分は、フォワードリーン軸に沿って少なくとも１つのファスナによって下部分に回動可能に接続される、請求項１３に従属するハイバック。
【請求項１８】
下部分は、ヒール方向に延在する当接部を含み、前記当接部は、ハイバックから滑走ボードに力を伝達するよう滑走ボード構成要素の一部と係合するよう構築され配置される、前記請求項のいずれかに記載のハイバック。
【請求項１９】
前記当接部は、下部分の一部を横方向にわたって延在する引き延ばされたリップを含む、請求項１８に記載のハイバック。
【請求項２０】
前記フォワードリーンアジャスタは前記当接部に回動可能に装着される、請求項１に従属するハイバック。
【請求項２１】
ライド／リラックスアクチュエータは、当接部に回動可能に装着される、請求項７に従属するハイバック。
【請求項２２】
下部分は、第１のロック特徴を含み、前記第１のロック特徴は、ハイバックを直立ライディング位置にロックして、滑走ボードに対するトウエッジ移動を防ぐよう滑走ボード構成要素上の第２のロック特徴と係合するよう構築され配置される、前記請求項のいずれかに記載のハイバック。
【請求項２３】
前記第１および第２のロック特徴は移動止めを形成する、請求項２２に記載のハイバック。
【請求項２４】
前記第１のロック特徴は、下部分の後ろ表面をわたって横方向に延在する引き延ばされた溝を含み、滑走ボード構成要素上の第２のロック特徴は、キャッチを含み、前記溝は前記キャッチを受けるよう適合される、請求項２２または請求項２３のいずれかに記載のハイバック。
【請求項２５】
搭載軸を中心としてハイバックを滑走ボードに搭載するための、下部分の両側で支持される１対の横方向の耳をさらに含む、前記請求項のいずれかに記載のハイバック。
【請求項２６】
前記下部分はブーツのヒール部分を保持するよう構成されるヒールカップを含み、前記上部分は、ヒールカップの近傍に配置される下側エッジを含む、前記請求項のいずれかに記載のハイバック。
【請求項２７】
前記滑走ボードはスノーボードであり、前記滑走ボード構成要素はスノーボード構成要素である、前記請求項のいずれかに記載のハイバック。
【請求項２８】
スノーボード構成要素との組合せにおいて、前記ハイバックはスノーボード構成要素上に搭載される、請求項２７に記載のハイバック。
【請求項２９】
前記スノーボード構成要素は、ベースプレートを有するスノーボードビンディングを含み、前記ハイバックはベースプレート上に回動可能に搭載される、請求項２８に記載の組合せ。
【請求項３０】
前記スノーボードビンデイングは、スノーボードブーツを固定するための、ベースプレートに搭載される少なくとも１つの調節可能ストラップを含む、請求項２９に記載の組合せ。
【請求項３１】
前記スノーボードビンディングは、ステップインビンディングである、請求項２９に記載の組合せ。
【請求項３２】
前記スノーボード構成要素はスノーボードブーツを含み、前記ハイバックはスノーボード上に回動可能に搭載される、請求項２８に記載の組合せ。
【請求項３３】
前記スノーボード構成要素は、スノーボードブーツとスノーボードビンディングとをインターフェイスさせるよう構築され配置される取外し可能ビンディングインターフェイスを含み、前記ハイバックはビンディングインターフェイスに回動可能に搭載される、請求項２８に記載の組合せ。
【請求項３４】
スノーボードビンディングであって、
スノーボードブーツを受けるよう構築され配置されるベースプレートを含み、前記ベースプレートはスノーボードに搭載可能であり、前記ビンディングはさらに
ベースプレートによって支持されるヒールフープと、
乗り手の脚の後ろ部分を支持するよう構築され配置される直立支持部材を含むハイバックを含み、前記支持部材は、ブーツのヒール部分を保持するよう構築されるヒールカップを有する下部分を含み、前記下部分は、搭載軸を中心としてハイバックをベースプレートに回動可能に搭載するよう構築され配置され、前記支持部材は、ハイバックのフォワードリーンの程度を変化させるためにフォワードリーン軸を中心として下側部分によって回動可能に支持される上部分をさらに含み、前記フォワードリーン軸は搭載軸から離れ、ヒールカップの近傍に位置決めされる、スノーボードビンディング。
【請求項３５】
前記上部分および下部分は一体構造として統合して形成され、上部分は少なくとも１つの一体型丁番によって下部分に回動可能に接続される、請求項３４に記載のスノーボードビンディング。
【請求項３６】
前記支持部材は、ヒールカップの近傍において上部分と下部分との間に横方向に延在する開口を有し、前記少なくとも１つの一体型丁番は、開口の両側に配置される１対の一体型丁番を含む、請求項３５に記載のスノーボードビンデイング。
【請求項３７】
前記開口は、背面部材を通って延在する引き延ばされたスロットを含む、請求項３６に記載のスノーボードビンディング。
【請求項３８】
前記下側部分は、ヒール方向に延在する当接部を含み、前記当接部はハイバックから滑走ボードへ力を伝達するようヒールフープの上側エッジと係合するよう構築され配置され、前記当接部は、開口とヒールカップとの間に配置される、請求項３６または請求項３７のいずれかに記載のスノーボードビンデイング。
【請求項３９】
前記当接部は、ヒールフープの実質的な部分と係合するよう下部分の一部をわたって横方向に延在する引き延ばされたリップを含む、請求項３８に記載のスノーボードビンディング。
【請求項４０】
ヒールカップから独立してハイバックのフォワードリーンの程度を固定するよう前記上部分を選択された位置に維持するよう、上部分と当接部とに結合されるフォワードリーンアジャスタをさらに含む、請求項３８または請求項３９のいずれかに記載のスノーボードビンディング。
【請求項４１】
前記上部分は、フォワードリーン軸に沿って少なくとも１つのファスナによって下部分に回動可能に接続される、請求項３４から請求項４０のいずれかに記載のハイバック。
【請求項４２】
前記ハイバックは、ハイバックをベースプレートに搭載するための下部分の両側で支持される１対の横方向の耳を含む、請求項３４から請求項４１のいずれかに記載のスノーボードビンディング。
【請求項４３】
上部分は、ヒールカップの近傍に配置される下側エッジを含む、請求項３４から請求項４２のいずれかに記載のスノーボードビンディング。
【請求項４４】
スノーボードビンディングであって、
スノーボードブーツを受けるよう構築され配置されるベースプレートを含み、前記ベースプレートはスノーボードに搭載可能であり、前記スノーボードビンディングはさらに
乗り手の脚の後ろ部分と接触し、かつ支持するよう構築され配置される直立支持部材を含み、前記ハイバックは搭載軸を中心としてベースプレートに回動可能に搭載され、前記スノーボードビンディングはさらに
ベースプレートによって支持されるヒールフープと、
ハイバック上に配置される第１のロック特徴と、
ハイバックに隣接するヒールフープの内面上に配置される第２のロック特徴とを含み、前記第２のロック特徴は、ハイバックのトウエッジ回動を防ぐために第１のロック特徴と係合するよう構築され配置される、スノーボードビンディング。
【請求項４５】
前記ハイバックは、スノーボードブーツのヒール部分を保持するよう構成されるヒールカップを含み、前記第１のロック特徴は、ヒールカップに隣接してハイバックの後ろ表面上に配置される、請求項４４に記載のスノーボードビンデイング。
【請求項４６】
前記第１および第２のロック特徴は移動止めを形成する、請求項４４または請求項４５のいずれかに記載のスノーボードビンディング。
【請求項４７】
前記第１のロック特徴は、ハイバックの後ろ表面をわたって横方向に延在する引き延ばされた溝を含み、前記第２のロック特徴はキャッチを含み、前記溝は前記キャッチを受けるよう適合される、請求項４４から請求項４６のいずれかに記載のスノーボードビンディング。
【請求項４８】
前記溝は横方向に第１の長さを有し、前記キャッチは横方向に第２の長さを有し、前記第１の長さは前記第２の長さよりも長く、それにより垂直軸を中心とするベースプレート上のハイバックの横方向の回転に対処する、請求項４７に記載のスノーボードビンディング。
【請求項４９】
前記支持部材は、下部分と、下部分にフォワードリーン軸を中心として回動可能に装着される上部分とを含み、前記フォワードリーン軸は前記搭載軸から離れて位置決めされ、前記第１のロック特徴は下部分に配置される、請求項４４から請求項４８のいずれかに記載のスノーボードビンディング。
【請求項５０】
上部分に結合されるフォワードリーンアジャスタと、ヒールフープから独立して予め定められたフォワードリーン位置に上部分を維持するための下部分とをさらに含む、請求項４９に記載のスノーボードビンディング。
【請求項５１】
装置であって、
乗り手の脚とインターフェイスし、滑走ボードによって支持可能である滑走ボード構成要素と併せて用いるためのハイバックに搭載可能であるフォワードリーンアジャスタを含み、前記ハイバックは下部分と、下部分によって可動に支持される上部分とを含み、下部分はハイバックを滑走ボード構成要素に搭載するための１対の搭載位置を有し、前記上部分は、ハイバックのフォワードリーンの程度を変化させるために複数の位置において下部分に対して調節可能であり、
前記フォワードリーンアジャスタは、下部分および上部分のうちの１つに回動可能に接続される第１の端部と、前記下部分および上部分の他方に調節可能に固定される第２の端部とを含み、それにより上側部分は、ハイバックのフォワードリーンの程度を固定するための複数の位置のうちの選択された１つに維持される、装置。
【請求項５２】
前記フォワードリーンアジャスタの第１の端部は、下部分に回動可能に接続可能であり、それにより滑走ボード構成要素から独立してハイバックのフォワードリーンの程度を維持する、請求項５１に記載の装置。
【請求項５３】
前記フォワードリーンアジャスタは、上部分に搭載可能である調節可能ブロックと、調節可能ブロックを下部分に結合するよう構築され配置されるリンクとを含む、請求項５１または請求項５２のいずれかに記載の装置。
【請求項５４】
前記フォワードリーンアジャスタは、下部分に回動可能に接続されるレバーをさらに含み、前記リンクは前記レバーに回動可能に装着され、前記レバーは第１の位置と第２の位置の間で可動であり、レバーが第１の位置に移動された場合に、上部分はフォワードリーン位置を超えてヒール方向に移動することを妨げられ、レバーが第２の位置に移動される場合に、上部分はヒール方向に抑制されず、それにより上部分はフォワードリーン位置を超えて動くことが可能である、請求項５３に記載の装置。
【請求項５５】
前記フォワードリーンアジャスタは、オーバーセンター構成として構成される、請求項５１から請求項５４のいずれかに記載の装置。
【請求項５６】
スノーボードビンディングであって、
スノーボードブーツを受けるよう構築され配置されるベースプレートを含み、前記ベースプレートはスノーボードに搭載可能であり、前記スノーボードビンディングはさらに
ベースプレートによって支持されるヒールフープを含み、ヒールフープは第１のフォワード面を含み、前記スノーボードビンデイングはさらに
乗り手の脚の後ろ部分を支持するよう構築され配置される直立支持部材を含むハイバックを含み、ハイバックは少なくとも直立ライディング位置と倒れた位置との間で搭載軸を中心としてベースプレートに回動可能に搭載され、前記支持部材はハイバックが直立ライディング位置に回動されている場合、実質的に第１の表面とフラッシュである第２のフォワード表面を含み、それによりスノーボードブーツは、ヒールフープと支持部材の第１および第２のフォワード表面と係合する、スノーボードビンディング。
【請求項５７】
前記ヒールフープと前記支持部材とは、ハイバックが直立ライディング位置に回動されている場合、互いに対して入れ子構成に係合するよう構築され配置される、請求項５６に記載のスノーボードビンディング。
【請求項５８】
前記ヒールフープは、直立ライディング位置で支持部材のボトムセグメントを受けるよう適合されるフォワード表面窪みを有する、請求項５５または請求項５６のいずれかに記載のスノーボードビンディング。
【請求項５９】
前記窪みは第１のフォワード表面よりも上に配置される、請求項５８に記載のスノーボードビンディング。
【請求項６０】
乗り手の脚の後ろ部分を支持するためのハイバックを搭載するためのスノーボードビンディングベースプレートであって、
スノーボードに搭載可能であるベースと、
ベースプレートによって支持されるヒールフープと、
ヒールフープの内面に配置されるロック特徴とを含み、前記ロック特徴は、ハイバックのトウエッジ回動を防ぐためにハイバックの一部と係合するよう構築され配置される、スノーボードビンディング。
【請求項６１】
前記ロック特徴は移動止めを含む、請求項６０に記載のスノーボードビンディングベースプレート。
【請求項６２】
前記ロック特徴はキャッチを含み、前記キャッチは、ハイバックの後ろ表面に設けられる対応の溝と係合するよう構築され配置される、請求項６０または請求項６１のいずれかに記載のスノーボードビンディングベースプレート。
【請求項６３】
前記ベースは、複数の横方向の位置において横方向の回転に対してハイバックを搭載するよう構築され配置され、ロック特徴は、複数の横位置の各々においてハイバックの一部と係合するよう構築され構成される、請求項６０から請求項６２のいずれかに記載のスノーボードビンディングベースプレート。
【請求項６４】
ヒールフープを有するスノーボードビンディングベースプレートに搭載可能なハイバックであって、
乗り手の脚の後ろ部分を支持するよう構築され配置される直立支持部材を含み、前記ハイバックは、搭載軸を中心としてベースプレートに回動可能に搭載され、さらに
支持部材の後ろ表面上に配置されるロック特徴を含み、前記ロック特徴は、ハイバックのトウエッジ回動を妨げるためにヒールフープの内面の対応のロック特徴と係合するよう構築され配置される、ハイバック。
【請求項６５】
前記ロック特徴は移動止めを含む、請求項６４に記載のハイバック。
【請求項６６】
前記ロック特徴は、ヒールフープの内面に設けられるキャッチを受けるよう適合される、支持部材の幅をわたって延在する引き延ばされた溝を含む、請求項６４または請求項６５のいずれかに記載のハイバック。
【請求項６７】
前記ハイバックは、複数の横方向の位置の間で横方向の回転に対してベースプレートに搭載可能であり、前記溝は、横方向の位置の各々においてキャッチを受けるよう構成される、請求項６６に記載のハイバック。
【請求項６８】
前記支持部材は、下部分と、搭載軸から離れたフォワードリーン軸を中心として下部分に回動可能に装着される上部分とを含み、前記ロック特徴は下部分に配置される、請求項６４から請求項６７のいずれかに記載のハイバック。
【請求項６９】
上部分と下部分とに結合されて、ヒールフープから独立して上部分が予め定められたフォワードリーン位置に維持されるようにするフォワードリーンアジャスタをさらに含む、請求項６８に記載のハイバック。
【手続補正書】
【提出日】平成14年1月18日(2002.1.18)
【手続補正１】
【補正対象書類名】明細書
【補正対象項目名】実用新案登録請求の範囲
【補正方法】変更
【補正の内容】
【実用新案登録請求の範囲】
【請求項１】
乗り手の脚とインターフェイスし、滑走ボードによって支持可能である滑走ボード構成要素と併せて用いるためのハイバックであって、
乗り手の脚の後ろ部分を支持するよう構築され配置される直立支持部材を含み、前記支持部材は、下部分と、前記下部分によって可動に支持される上部分とを含み、前記下部分は、滑走ボード構成要素に回動可能に搭載されるよう構築され配置され、それによりハイバックはヒール−トウ方向において回動可能になり、前記上部分は、滑走ボード構成要素から独立して複数の角度位置において下部分に対して調節可能であり、それにより、ハイバックが滑走ボード構成要素に搭載された場合にハイバックのフォワードリーンの程度を変化させ、ハイバックはさらに
フォワードリーンアジャスタを含み、前記フォワードリーンアジャスタは前記上部分に装着されて、ハイバックのフォワードリーンの程度を固定するために上部分を複数の位置のうちの選択された１つに維持する、ハイバック。
【請求項２】
前記フォワードリーンアジャスタは、滑走ボード構成要素から独立して、ハイバックのフォワードリーンの程度を維持するために下部分に結合される、請求項１に記載のハイバック。
【請求項３】
フォワードリーンアジャスタは、下部分に回動可能に接続される、前記請求項のいずれかに記載のハイバック。
【請求項４】
前記フォワードリーンアジャスタは、上部分に搭載される調節可能ブロックと、調節可能ブロックを下部分に結合するリンクとを含む、請求項４に記載のハイバック。
【請求項５】
前記フォワードリーンアジャスタは、下部分に回動可能に接続されるレバーをさらに含み、前記リンクはレバーに回動可能に装着され、前記レバーは第１の位置と第２の位置との間で可動であり、前記上部分は、レバーが第１の位置に移動した場合にフォワードリーン位置を超えてヒール方向に移動することを妨げられ、前記上部分は、レバーが第２の位置に移動した場合にヒール方向に抑制されず、上部分の移動がフォワードリーン位置を超えることが可能になる、前記請求項のいずれかに記載のハイバック。
【請求項６】
前記フォワードリーンアジャスタは、オーバーセンター構成として構成される、前記請求項のいずれかに記載のハイバック。
【請求項７】
乗り手の脚とインターフェイスし、滑走ボードによって支持可能である滑走ボード構成要素と併せて用いるためのハイバックであって、
乗り手の脚の後ろ部分を支持するよう構築され配置される直立支持部材を含み、前記支持部材は、下部分と上部分とを含み、前記上部分は、下部分との間の運動のために前記下部分に連接し、前記下部分は滑走ボード構成要素に回動可能に搭載されるよう構築され配置され、それによりハイバックがヒール−トウ方向において回動可能になり、ハイバックはさらに
前記支持部材に結合されるライド／リラックスアクチュエータを含み、前記ライド／リラックスアクチュエータはライドモードとリラックスモードとを有し、ライド／リラックスアクチュエータがライドモードに置かれた場合には、前記上部分は下部分に対して予め定められたフォワードリーン位置に固定され、脚の動きがフォワードリーン位置を超えてヒール方向に移動することを防いで、ヒール方向への脚の動きがハイバッグを通して滑走ボード構成要素に伝わり、ライド／リラックスアクチュエータがリラックスモードに置かれた場合には、上部分は下部分に対して抑制されておらず、それによりフォワードリーン位置を超えたヒール方向への脚の動きが可能になる、ハイバック。
【請求項８】
前記ライド／リラックスアクチュエータは、ライドモードに置かれた場合、滑走ボード構成要素から独立して、ハイバックのフォワードリーンの程度を維持する、請求項７に記載のハイバック。
【請求項９】
前記ライド／リラックスアクチュエータは、下部分に回動可能に接続される、請求項７または請求項８のいずれかに記載のハイバック。
【請求項１０】
ライド／リラックスアクチュエータは、予め定められたフォワードリーン位置を調節するための上部分に搭載される調節可能ブロックと、調節可能ブロックを下部分に結合するリンクとを含む、請求項７から請求項９のいずれかに記載のハイバック。
【請求項１１】
ライド／リラックスアクチュエータはさらに、下部分に回動可能に接続されるレバーを含み、前記リンクは前記レバーに回動可能に装着され、前記レバーは、上部分をそれぞれライドモードとリラックスモードとに配置するために第１の位置と第２の位置との間において可動である、請求項１０に記載のハイバック。
【請求項１２】
ライド／リラックスアクチュエータは、オーバーセンター構成として構成される、請求項７から請求項１１のいずれかに記載のハイバック。
【請求項１３】
前記下部分は、搭載軸を中心として滑走ボード構成要素に回動可能に搭載可能であり、前記上部分は、搭載軸から離れたフォワードリーン軸を中心として、下部分に回動可能に装着される、前記請求項のいずれかに記載のハイバック。
【請求項１４】
上部分と下部分とは一体構造として統合して形成され、上部分は少なくとも一体型丁番によって下部分に回動可能に接続される、前記請求項のいずれかに記載のハイバック。
【請求項１５】
前記支持部材は上部分と下部分との間に横方向に延在する開口を有し、前記少なくとも１つの一体型丁番は、開口の両側に配置される１対の一体型丁番を含む、請求項１４に記載のハイバック。
【請求項１６】
前記開口は、前記支持部材を通って延在する引き伸ばされたスロットを含む、請求項１５に記載のハイバック。
【請求項１７】
前記上部分は、フォワードリーン軸に沿って少なくとも１つのファスナによって下部分に回動可能に接続される、請求項１３に従属するハイバック。
【請求項１８】
下部分は、ヒール方向に延在する当接部を含み、前記当接部は、ハイバックから滑走ボードに力を伝達するよう滑走ボード構成要素の一部と係合するよう構築され配置される、前記請求項のいずれかに記載のハイバック。
【請求項１９】
前記当接部は、下部分の一部を横方向にわたって延在する引き延ばされたリップを含む、請求項１８に記載のハイバック。
【請求項２０】
前記フォワードリーンアジャスタは前記当接部に回動可能に装着される、請求項１に従属するハイバック。
【請求項２１】
ライド／リラックスアクチュエータは、当接部に回動可能に装着される、請求項７に従属するハイバック。
【請求項２２】
下部分は、第１のロック特徴を含み、前記第１のロック特徴は、ハイバックを直立ライディング位置にロックして、滑走ボードに対するトウエッジ移動を防ぐよう滑走ボード構成要素上の第２のロック特徴と係合するよう構築され配置される、前記請求項のいずれかに記載のハイバック。
【請求項２３】
前記第１および第２のロック特徴は移動止めを形成する、請求項２２に記載のハイバック。
【請求項２４】
前記第１のロック特徴は、下部分の後ろ表面をわたって横方向に延在する引き延ばされた溝を含み、滑走ボード構成要素上の第２のロック特徴は、キャッチを含み、前記溝は前記キャッチを受けるよう適合される、請求項２２または請求項２３のいずれかに記載のハイバック。
【請求項２５】
ハイバックを滑走ボードに搭載するための、下部分の両側で支持される１対の横方向の耳をさらに含む、前記請求項のいずれかに記載のハイバック。
【請求項２６】
前記下部分はブーツのヒール部分を保持するよう構成されるヒールカップを含み、前記上部分は、ヒールカップの近傍に配置される下側エッジを含む、前記請求項のいずれかに記載のハイバック。
【請求項２７】
前記滑走ボードはスノーボードであり、前記滑走ボード構成要素はスノーボード構成要素である、前記請求項のいずれかに記載のハイバック。
【請求項２８】
スノーボード構成要素との組合せにおいて、前記ハイバックはスノーボード構成要素上に搭載される、請求項２７に記載のハイバック。
【請求項２９】
前記スノーボード構成要素は、ベースプレートを有するスノーボードビンディングを含み、前記ハイバックはベースプレート上に回動可能に搭載される、請求項２８に記載の組合せ。
【請求項３０】
前記スノーボードビンディングは、スノーボードブーツを固定するための、ベースプレートに搭載される少なくとも１つの調節可能ストラップを含む、請求項２９に記載の組合せ。
【請求項３１】
前記スノーボードビンディングは、ステップインビンディングである、請求項２９に記載の組合せ。
【請求項３２】
前記スノーボード構成要素はスノーボードブーツを含み、前記ハイバックはスノーボード上に回動可能に搭載される、請求項２８に記載の組合せ。
【請求項３３】
前記スノーボード構成要素は、スノーボードブーツとスノーボードビンディングとをインターフェイスさせるよう構築され配置される取外し可能ビンディングインターフェイスを含み、前記ハイバックはビンディングインターフェイスに回動可能に搭載される、請求項２８に記載の組合せ。
【請求項３４】
スノーボードビンディングであって、
スノーボードブーツを受けるよう構築され配置されるベースプレートを含み、前記ベースプレートはスノーボードに搭載可能であり、前記ビンディングはさらに
ベースプレートによって支持されるヒールフープと、
乗り手の脚の後ろ部分を支持するよう構築され配置される直立支持部材を含むハイバックを含み、前記支持部材は、ブーツのヒール部分を保持するよう構築されるヒールカップを有する下部分を含み、前記下部分は、搭載軸を中心としてハイバックをベースプレートに回動可能に搭載するよう構築され配置され、前記支持部材は、ハイバックのフォワードリーンの程度を変化させるためにフォワードリーン軸を中心として下側部分によって回動可能に支持される上部分をさらに含み、前記フォワードリーン軸は搭載軸から離れ、ヒールカップの近傍に位置決めされる、スノーボードビンディング。
【請求項３５】
前記上部分および下部分は一体構造として統合して形成され、上部分は少なくとも１つの一体型丁番によって下部分に回動可能に接続される、請求項３４に記載のスノーボードビンディング。
【請求項３６】
前記支持部材は、ヒールカップの近傍において上部分と下部分との間に横方向に延在する開口を有し、前記少なくとも１つの一体型丁番は、開口の両側に配置される１対の一体型丁番を含む、請求項３５に記載のスノーボードビンデイング。
【請求項３７】
前記開口は、支持部材を通って延在する引き延ばされたスロットを含む、請求項３６に記載のスノーボードビンディング。
【請求項３８】
前記下側部分は、ヒール方向に延在する当接部を含み、前記当接部はハイバックから滑走ボードへ力を伝達するようヒールフープの上側エッジと係合するよう構築され配置され、前記当接部は、開口とヒールカップとの間に配置される、請求項３６または請求項３７のいずれかに記載のスノーボードビンデイング。
【請求項３９】
前記当接部は、ヒールフープの実質的な部分と係合するよう下部分の一部をわたって横方向に延在する引き延ばされたリップを含む、請求項３８に記載のスノーボードビンディング。
【請求項４０】
ヒールカップから独立してハイバックのフォワードリーンの程度を固定するよう前記上部分を選択された位置に維持するよう、上部分と当接部とに結合されるフォワードリーンアジャスタをさらに含む、請求項３８または請求項３９のいずれかに記載のスノーボードビンディング。
【請求項４１】
前記上部分は、フォワードリーン軸に沿って少なくとも１つのファスナによって下部分に回動可能に接続される、請求項３４から請求項４０のいずれかに記載のハイバック。
【請求項４２】
前記ハイバックは、ハイバックをベースプレートに搭載するための下部分の両側で支持される１対の横方向の耳を含む、請求項３４から請求項４１のいずれかに記載のスノーボードビンディング。
【請求項４３】
上部分は、ヒールカップの近傍に配置される下側エッジを含む、請求項３４から請求項４２のいずれかに記載のスノーボードビンディング。
【請求項４４】
スノーボードビンディングであって、
スノーボードブーツを受けるよう構築され配置されるベースプレートを含み、前記ベースプレートはスノーボードに搭載可能であり、前記スノーボードビンディングはさらに
乗り手の脚の後ろ部分と接触し、かつ支持するよう構築され配置される直立支持部材を含み、前記ハイバックはベースプレートに回動可能に搭載され、前記スノーボードビンディングはさらに
ベースプレートによって支持されるヒールフープと、
ハイバック上に配置される第１のロック特徴と、
ハイバックに隣接するヒールフープの内面上に配置される第２のロック特徴とを含み、前記第２のロック特徴は、ハイバックのトウエッジ回動を防ぐために第１のロック特徴と係合するよう構築され配置される、スノーボードビンディング。
【請求項４５】
前記ハイバックは、スノーボードブーツのヒール部分を保持するよう構成されるヒールカップを含み、前記第１のロック特徴は、ヒールカップに隣接してハイバックの後ろ表面上に配置される、請求項４４に記載のスノーボードビンデイング。
【請求項４６】
前記第１および第２のロック特徴は移動止めを形成する、請求項４４または請求項４５のいずれかに記載のスノーボードビンディング。
【請求項４７】
前記第１のロック特徴は、ハイバックの後ろ表面をわたって横方向に延在する引き延ばされた溝を含み、前記第２のロック特徴はキャッチを含み、前記溝は前記キャッチを受けるよう適合される、請求項４４から請求項４６のいずれかに記載のスノーボードビンディング。
【請求項４８】
前記溝は横方向に第１の長さを有し、前記キャッチは横方向に第２の長さを有し、前記第１の長さは前記第２の長さよりも長く、それにより垂直軸を中心とするベースプレート上のハイバックの横方向の回転に対処する、請求項４７に記載のスノーボードビンディング。
【請求項４９】
前記ハイバックは搭載軸を中心としてベースプレートに回動可能に搭載され、前記支持部材は、下部分と、下部分にフォワードリーン軸を中心として回動可能に装着される上部分とを含み、前記フォワードリーン軸は前記搭載軸から離れて位置決めされ、前記第１のロック特徴は下部分に配置される、請求項４４から請求項４８のいずれかに記載のスノーボードビンディング。
【請求項５０】
上部分に結合されるフォワードリーンアジャスタと、ヒールフープから独立して予め定められたフォワードリーン位置に上部分を維持するための下部分とをさらに含む、請求項４９に記載のスノーボードビンディング。
【請求項５１】
装置であって、
乗り手の脚とインターフェイスし、滑走ボードによって支持可能である滑走ボード構成要素と併せて用いるためのハイバックに搭載可能であるフォワードリーンアジャスタを含み、前記ハイバックは下部分と、下部分によって可動に支持される上部分とを含み、下部分はハイバックを滑走ボード構成要素に搭載するための１対の搭載位置を有し、前記上部分は、ハイバックのフォワードリーンの程度を変化させるために複数の位置において下部分に対して調節可能であり、
前記フォワードリーンアジャスタは、下部分および上部分のうちの１つに回動可能に接続される第１の端部と、前記下部分および上部分の他方に調節可能に固定される第２の端部とを含み、それにより上側部分は、ハイバックのフォワードリーンの程度を固定するための複数の位置のうちの選択された１つに維持される、装置。
【請求項５２】
前記フォワードリーンアジャスタの第１の端部は、下部分に回動可能に接続可能であり、それにより滑走ボード構成要素から独立してハイバックのフォワードリーンの程度を維持する、請求項５１に記載の装置。
【請求項５３】
前記フォワードリーンアジャスタは、上部分に搭載可能である調節可能ブロックと、調節可能ブロックを下部分に結合するよう構築され配置されるリンクとを含む、請求項５１または請求項５２のいずれかに記載の装置。
【請求項５４】
前記フォワードリーンアジャスタは、下部分に回動可能に接続されるレバーをさらに含み、前記リンクは前記レバーに回動可能に装着され、前記レバーは第１の位置と第２の位置の間で可動であり、レバーが第１の位置に移動された場合に、上部分はフォワードリーン位置を超えてヒール方向に移動することを妨げられ、レバーが第２の位置に移動される場合に、上部分はヒール方向に抑制されず、それにより上部分はフォワードリーン位置を超えて動くことが可能である、請求項５３に記載の装置。
【請求項５５】
前記フォワードリーンアジャスタは、オーバーセンター構成として構成される、請求項５１から請求項５４のいずれかに記載の装置。
【請求項５６】
スノーボードビンディングであって、
スノーボードブーツを受けるよう構築され配置されるベースプレートを含み、前記ベースプレートはスノーボードに搭載可能であり、前記スノーボードビンディングはさらに
ベースプレートによって支持されるヒールフープを含み、ヒールフープは第１のフォワード面を含み、前記スノーボードビンディングはさらに
乗り手の脚の後ろ部分を支持するよう構築され配置される直立支持部材を含むハイバックを含み、ハイバックは少なくとも直立ライディング位置と倒れた位置との間でベースプレートに回動可能に搭載され、前記支持部材はハイバックが直立ライディング位置に回動されている場合、実質的に第１の表面とフラッシュである第２のフォワード表面を含み、それによりスノーボードブーツは、ヒールフープと支持部材の第１および第２のフォワード表面と係合する、スノーボードビンデイング。
【請求項５７】
前記ヒールフープと前記支持部材とは、ハイバックが直立ライディング位置に回動されている場合、互いに対して入れ子構成に係合するよう構築され配置される、請求項５６に記載のスノーボードビンディング。
【請求項５８】
前記ヒールフープは、直立ライディング位置で支持部材のボトムセグメントを受けるよう適合されるフォワード表面窪みを有する、請求項５５または請求項５６のいずれかに記載のスノーボードビンディング。
【請求項５９】
前記窪みは第１のフォワード表面よりも上に配置される、請求項５８に記載のスノーボードビンディング。
【請求項６０】
乗り手の脚の後ろ部分を支持するためのハイバックを搭載するためのスノーボードビンディングベースプレートであって、
スノーボードに搭載可能であるベースと、
ベースプレートによって支持されるヒールフープと、
ヒールフープの内面に配置されるロック特徴とを含み、前記ロック特徴は、ハイバックのトウエッジ回動を防ぐためにハイバックの一部と係合するよう構築され配置される、スノーボードビンディング。
【請求項６１】
前記ロック特徴は移動止め部分を含む、請求項６０に記載のスノーボードビンディングベースプレート。
【請求項６２】
前記ヒールフープの内面の前記ロック特徴はキャッチを含み、前記キャッチは、ハイバックの後ろ表面に設けられる対応の溝と係合するよう構築され配置される、請求項６０または請求項６１のいずれかに記載のスノーボードビンディングベースプレート。
【請求項６３】
前記ベースは、複数の横方向の位置において横方向の回転に対してハイバックを搭載するよう構築され配置され、ロック特徴は、複数の横位置の各々においてハイバックの一部と係合するよう構築され構成される、請求項６０から請求項６２のいずれかに記載のスノーボードビンディングベースプレート。
【請求項６４】
ヒールフープを有するスノーボードビンディングベースプレートに搭載可能なハイバックであって、
乗り手の脚の後ろ部分を支持するよう構築され配置される直立支持部材を含み、前記ハイバックは、ベースプレートに回動可能に搭載可能であり、さらに
支持部材の後ろ表面上に配置されるロック特徴を含み、前記ロック特徴は、ハイバックがスノーボードビンディングベースプレートに搭載される場合に支持部材と対面するヒールフープの内面の対応するロック特徴と係合するよう構築され配置されて、ハイバックのトウエッジ回動を妨げる、ハイバック。
【請求項６５】
支持部材上の前記ロック特徴は移動止め部分を含む、請求項６４に記載のハイバック。
【請求項６６】
支持部材上の前記ロック特徴は、ヒールフープの内面に設けられるキャッチを受けるよう適合される、支持部材の幅をわたって延在する引き延ばされた溝を含む、請求項６４または請求項６５のいずれかに記載のハイバック。
【請求項６７】
前記ハイバックは、複数の横方向の位置の間で横方向の回転に対してベースプレートに搭載可能であり、前記溝は、横方向の位置の各々においてキャッチを受けるよう構成される、請求項６６に記載のハイバック。
【請求項６８】
ハイバックは搭載軸を中心としてベースプレートに回動可能に搭載され、前記支持部材は、下部分と、搭載軸から離れたフォワードリーン軸を中心として下部分に回動可能に装着される上部分とを含み、前記ロック特徴は下部分に配置される、請求項６４から請求項６７のいずれかに記載のハイバック。
【請求項６９】
上部分と下部分とに結合されて、ヒールフープから独立して上部分が予め定められたフォワードリーン位置に維持されるようにするフォワードリーンアジャスタをさらに含む、請求項６８に記載のハイバック。
【請求項７０】
上部分は下部分によって回動可能に支持される、請求項１に従属するハイバック。
【請求項７１】
上部分は、ハイバックが滑走ボード構成要素に搭載される場合、下部分によってのみ支持される、請求項１に従属するハイバック。
【手続補正書】
【提出日】平成16年4月13日(2004.4.13)
【手続補正１】
【補正対象書類名】明細書
【補正対象項目名】実用新案登録請求の範囲
【補正方法】変更
【補正の内容】
【実用新案登録請求の範囲】
【請求項１】
乗り手の脚とインターフェイスし、滑走ボードによって支持可能である滑走ボード構成要素と併せて用いるためのハイバックであって、
乗り手の脚の後ろ部分を支持するよう構築され配置される直立支持部材を含み、前記支持部材は、下部分と、前記下部分によって可動に支持される上部分とを含み、前記下部分は、滑走ボード構成要素に回動可能に搭載されるよう構築され配置され、それによりハイバックはヒール−トウ方向において回動可能になり、前記上部分は、滑走ボード構成要素から独立して複数の角度位置において下部分に対して調節可能であり、それにより、ハイバックが滑走ボード構成要素に搭載された場合にハイバックのフォワードリーンの程度を変化させ、ハイバックはさらに
フォワードリーンアジャスタを含み、前記フォワードリーンアジャスタは前記上部分に装着されて、ハイバックのフォワードリーンの程度を固定するために上部分を複数の位置のうちの選択された１つに維持する、ハイバック。
【請求項２】
前記フォワードリーンアジャスタは、滑走ボード構成要素から独立して、ハイバックのフォワードリーンの程度を維持するために下部分に結合される、請求項１に記載のハイバック。
【請求項３】
フォワードリーンアジャスタは、下部分に回動可能に接続される、請求項１または２に記載のハイバック。
【請求項４】
前記フォワードリーンアジャスタは、上部分に搭載される調節可能ブロックと、調節可能ブロックを下部分に結合するリンクとを含む、請求項１に記載のハイバック。
【請求項５】
前記フォワードリーンアジャスタは、下部分に回動可能に接続されるレバーをさらに含み、前記リンクはレバーに回動可能に装着され、前記レバーは第１の位置と第２の位置との間で可動であり、前記上部分は、レバーが第１の位置に移動した場合にフォワードリーン位置を超えてヒール方向に移動することを妨げられ、前記上部分は、レバーが第２の位置に移動した場合にヒール方向に抑制されず、上部分の移動がフォワードリーン位置を超えることが可能になる、請求項１から請求項４のいずれかに記載のハイバック。
【請求項６】
前記フォワードリーンアジャスタは、オーバーセンター構成として構成される、請求項１から請求項５のいずれかに記載のハイバック。
【請求項７】
乗り手の脚とインターフェイスし、滑走ボードによって支持可能である滑走ボード構成要素と併せて用いるためのハイバックであって、
乗り手の脚の後ろ部分を支持するよう構築され配置される直立支持部材を含み、前記支持部材は、下部分と上部分とを含み、前記上部分は、下部分との間の運動のために前記下部分に連接し、前記下部分は滑走ボード構成要素に回動可能に搭載されるよう構築され配置され、それによりハイバックがヒール−トウ方向において回動可能になり、ハイバックはさらに
前記支持部材に結合されるライド／リラックスアクチュエータを含み、前記ライド／リラックスアクチュエータはライドモードとリラックスモードとを有し、ライド／リラックスアクチュエータがライドモードに置かれた場合には、前記上部分は下部分に対して予め定められたフォワードリーン位置に固定され、脚の動きがフォワードリーン位置を超えてヒール方向に移動することを防いで、ヒール方向への脚の動きがハイバックを通して滑走ボード構成要素に伝わり、ライド／リラックスアクチュエータがリラックスモードに置かれた場合には、上部分は下部分に対して抑制されておらず、それによりフォワードリーン位置を超えたヒール方向への脚の動きが可能になる、ハイバック。
【請求項８】
前記ライド／リラックスアクチュエータは、ライドモードに置かれた場合、滑走ボード構成要素から独立して、ハイバックのフォワードリーンの程度を維持する、請求項７に記載のハイバック。
【請求項９】
前記ライド／リラックスアクチュエータは、下部分に回動可能に接続される、請求項７または請求項８のいずれかに記載のハイバック。
【請求項１０】
ライド／リラックスアクチュエータは、予め定められたフォワードリーン位置を調節するための上部分に搭載される調節可能ブロックと、調節可能ブロックを下部分に結合するリンクとを含む、請求項７から請求項９のいずれかに記載のハイバック。
【請求項１１】
ライド／リラックスアクチュエータはさらに、下部分に回動可能に接続されるレバーを含み、前記リンクは前記レバーに回動可能に装着され、前記レバーは、上部分をそれぞれライドモードとリラックスモードとに配置するために第１の位置と第２の位置との間において可動である、請求項１０に記載のハイバック。
【請求項１２】
ライド／リラックスアクチュエータは、オーバーセンター構成として構成される、請求項７から請求項１１のいずれかに記載のハイバック。
【請求項１３】
前記下部分は、搭載軸を中心として滑走ボード構成要素に回動可能に搭載可能であり、前記上部分は、搭載軸から離れたフォワードリーン軸を中心として、下部分に回動可能に装着される、請求項１から請求項１２のいずれかに記載のハイバック。
【請求項１４】
上部分と下部分とは一体構造として統合して形成され、上部分は少なくとも一体型丁番によって下部分に回動可能に接続される、請求項１から請求項１３のいずれかに記載のハイバック。
【請求項１５】
前記支持部材は上部分と下部分との間に横方向に延在する開口を有し、前記少なくとも１つの一体型丁番は、開口の両側に配置される１対の一体型丁番を含む、請求項１４に記載のハイバック。
【請求項１６】
前記開口は、前記支持部材を通って延在する引き伸ばされたスロットを含む、請求項１５に記載のハイバック。
【請求項１７】
前記上部分は、フォワードリーン軸に沿って少なくとも１つのファスナによって下部分に回動可能に接続される、請求項１３に従属するハイバック。
【請求項１８】
下部分は、ヒール方向に延在する当接部を含み、前記当接部は、ハイバックから滑走ボードに力を伝達するよう滑走ボード構成要素の一部と係合するよう構築され配置される、請求項１から請求項１７のいずれかに記載のハイバック。
【請求項１９】
前記当接部は、下部分の一部を横方向にわたって延在する引き延ばされたリップを含む、請求項１８に記載のハイバック。
【請求項２０】
前記フォワードリーンアジャスタは前記当接部に回動可能に装着される、請求項１に従属するハイバック。
【請求項２１】
ライド／リラックスアクチュエータは、当接部に回動可能に装着される、請求項７に従属するハイバック。
【請求項２２】
下部分は、第１のロック特徴を含み、前記第１のロック特徴は、ハイバックを直立ライディング位置にロックして、滑走ボードに対するトウエッジ移動を防ぐよう滑走ボード構成要素上の第２のロック特徴と係合するよう構築され配置される、請求項１から請求項２１のいずれかに記載のハイバック。
【請求項２３】
前記第１および第２のロック特徴は移動止めを形成する、請求項２２に記載のハイバック。
【請求項２４】
前記第１のロック特徴は、下部分の後ろ表面をわたって横方向に延在する引き延ばされた溝を含み、滑走ボード構成要素上の第２のロック特徴は、キャッチを含み、前記溝は前記キャッチを受けるよう適合される、請求項２２または請求項２３のいずれかに記載のハイバック。
【請求項２５】
ハイバックを滑走ボードに搭載するための、下部分の両側で支持される１対の横方向の耳をさらに含む、請求項１から請求項２４のいずれかに記載のハイバック。
【請求項２６】
前記下部分はブーツのヒール部分を保持するよう構成されるヒールカップを含み、前記上部分は、ヒールカップの近傍に配置される下側エッジを含む、請求項１から請求項２５のいずれかに記載のハイバック。
【請求項２７】
前記滑走ボードはスノーボードであり、前記滑走ボード構成要素はスノーボード構成要素である、請求項１から請求項２６のいずれかに記載のハイバック。
【請求項２８】
スノーボード構成要素との組合せにおいて、前記ハイバックはスノーボード構成要素上に搭載される、請求項２７に記載のハイバック。
【請求項２９】
前記スノーボード構成要素は、ベースプレートを有するスノーボードビンディングを含み、前記ハイバックはベースプレート上に回動可能に搭載される、請求項２８に記載の組合せ。
【請求項３０】
前記スノーボードビンディングは、スノーボードブーツを固定するための、ベースプレートに搭載される少なくとも１つの調節可能ストラップを含む、請求項２９に記載の組合せ。
【請求項３１】
前記スノーボードビンディングは、ステップインビンディングである、請求項２９に記載の組合せ。
【請求項３２】
前記スノーボード構成要素はスノーボードブーツを含み、前記ハイバックはスノーボード上に回動可能に搭載される、請求項２８に記載の組合せ。
【請求項３３】
前記スノーボード構成要素は、スノーボードブーツとスノーボードビンディングとをインターフェイスさせるよう構築され配置される取外し可能ビンディングインターフェイスを含み、前記ハイバックはビンディングインターフェイスに回動可能に搭載される、請求項２８に記載の組合せ。
【請求項３４】
スノーボードビンディングであって、
スノーボードブーツを受けるよう構築され配置されるベースプレートを含み、前記ベースプレートはスノーボードに搭載可能であり、前記ビンディングはさらに
ベースプレートによって支持されるヒールフープと、
乗り手の脚の後ろ部分を支持するよう構築され配置される直立支持部材を含むハイバックを含み、前記支持部材は、ブーツのヒール部分を保持するよう構築されるヒールカップを有する下部分を含み、前記下部分は、搭載軸を中心としてハイバックをベースプレートに回動可能に搭載するよう構築され配置され、前記支持部材は、ハイバックのフォワードリーンの程度を変化させるためにフォワードリーン軸を中心として下側部分によって回動可能に支持される上部分をさらに含み、前記フォワードリーン軸は搭載軸から離れ、ヒールカップの近傍に位置決めされる、スノーボードビンディング。
【請求項３５】
前記上部分および下部分は一体構造として統合して形成され、上部分は少なくとも１つの一体型丁番によって下部分に回動可能に接続される、請求項３４に記載のスノーボードビンディング。
【請求項３６】
前記支持部材は、ヒールカップの近傍において上部分と下部分との間に横方向に延在する開口を有し、前記少なくとも１つの一体型丁番は、開口の両側に配置される１対の一体型丁番を含む、請求項３５に記載のスノーボードビンディング。
【請求項３７】
前記開口は、支持部材を通って延在する引き延ばされたスロットを含む、請求項３６に記載のスノーボードビンディング。
【請求項３８】
前記下側部分は、ヒール方向に延在する当接部を含み、前記当接部はハイバックから滑走ボードへ力を伝達するようヒールフープの上側エッジと係合するよう構築され配置され、前記当接部は、開口とヒールカップとの間に配置される、請求項３６または請求項３７のいずれかに記載のスノーボードビンディング。
【請求項３９】
前記当接部は、ヒールフープの実質的な部分と係合するよう下部分の一部をわたって横方向に延在する引き延ばされたリップを含む、請求項３８に記載のスノーボードビンディング。
【請求項４０】
ヒールカップから独立してハイバックのフォワードリーンの程度を固定するよう前記上部分を選択された位置に維持するよう、上部分と当接部とに結合されるフォワードリーンアジャスタをさらに含む、請求項３８または請求項３９のいずれかに記載のスノーボードビンディング。
【請求項４１】
前記上部分は、フォワードリーン軸に沿って少なくとも１つのファスナによって下部分に回動可能に接続される、請求項３４から請求項４０のいずれかに記載のハイバック。
【請求項４２】
前記ハイバックは、ハイバックをベースプレートに搭載するための下部分の両側で支持される１対の横方向の耳を含む、請求項３４から請求項４１のいずれかに記載のスノーボードビンディング。
【請求項４３】
上部分は、ヒールカップの近傍に配置される下側エッジを含む、請求項３４から請求項４２のいずれかに記載のスノーボードビンディング。
【請求項４４】
スノーボードビンディングであって、
スノーボードブーツを受けるよう構築され配置されるベースプレートを含み、前記ベースプレートはスノーボードに搭載可能であり、前記スノーボードビンディングはさらに
乗り手の脚の後ろ部分と接触し、かつ支持するよう構築され配置される直立支持部材を含み、前記ハイバックはベースプレートに回動可能に搭載され、前記スノーボードビンディングはさらに
ベースプレートによって支持されるヒールフープと、
ハイバック上に配置される第１のロック特徴と、
ハイバックに隣接するヒールフープの内面上に配置される第２のロック特徴とを含み、前記第２のロック特徴は、ハイバックのトウエッジ回動を防ぐために第１のロック特徴と係合するよう構築され配置される、スノーボードビンディング。
【請求項４５】
前記ハイバックは、スノーボードブーツのヒール部分を保持するよう構成されるヒールカップを含み、前記第１のロック特徴は、ヒールカップに隣接してハイバックの後ろ表面上に配置される、請求項４４に記載のスノーボードビンディング。
【請求項４６】
前記第１および第２のロック特徴は移動止めを形成する、請求項４４または請求項４５のいずれかに記載のスノーボードビンディング。
【請求項４７】
前記第１のロック特徴は、ハイバックの後ろ表面をわたって横方向に延在する引き延ばされた溝を含み、前記第２のロック特徴はキャッチを含み、前記溝は前記キャッチを受けるよう適合される、請求項４４から請求項４６のいずれかに記載のスノーボードビンディング。
【請求項４８】
前記溝は横方向に第１の長さを有し、前記キャッチは横方向に第２の長さを有し、前記第１の長さは前記第２の長さよりも長く、それにより垂直軸を中心とするベースプレート上のハイバックの横方向の回転に対処する、請求項４７に記載のスノーボードビンディング。
【請求項４９】
前記ハイバックは搭載軸を中心としてベースプレートに回動可能に搭載され、前記支持部材は、下部分と、下部分にフォワードリーン軸を中心として回動可能に装着される上部分とを含み、前記フォワードリーン軸は前記搭載軸から離れて位置決めされ、前記第１のロック特徴は下部分に配置される、請求項４４から請求項４８のいずれかに記載のスノーボードビンディング。
【請求項５０】
上部分に結合されるフォワードリーンアジャスタと、ヒールフープから独立して予め定められたフォワードリーン位置に上部分を維持するための下部分とをさらに含む、請求項４９に記載のスノーボードビンディング。
【請求項５１】
装置であって、
乗り手の脚とインターフェイスし、滑走ボードによって支持可能である滑走ボード構成要素と併せて用いるためのハイバックに搭載可能であるフォワードリーンアジャスタを含み、前記ハイバックは下部分と、下部分によって可動に支持される上部分とを含み、下部分はハイバックを滑走ボード構成要素に搭載するための１対の搭載位置を有し、前記上部分は、ハイバックのフォワードリーンの程度を変化させるために複数の位置において下部分に対して調節可能であり、
前記フォワードリーンアジャスタは、下部分および上部分のうちの１つに回動可能に接続される第１の端部と、前記下部分および上部分の他方に調節可能に固定される第２の端部とを含み、それにより上側部分は、ハイバックのフォワードリーンの程度を固定するための複数の位置のうちの選択された１つに維持される、装置。
【請求項５２】
前記フォワードリーンアジャスタの第１の端部は、下部分に回動可能に接続可能であり、それにより滑走ボード構成要素から独立してハイバックのフォワードリーンの程度を維持する、請求項５１に記載の装置。
【請求項５３】
前記フォワードリーンアジャスタは、上部分に搭載可能である調節可能ブロックと、調節可能ブロックを下部分に結合するよう構築され配置されるリンクとを含む、請求項５１または請求項５２のいずれかに記載の装置。
【請求項５４】
前記フォワードリーンアジャスタは、下部分に回動可能に接続されるレバーをさらに含み、前記リンクは前記レバーに回動可能に装着され、前記レバーは第１の位置と第２の位置の間で可動であり、レバーが第１の位置に移動された場合に、上部分はフォワードリーン位置を超えてヒール方向に移動することを妨げられ、レバーが第２の位置に移動される場合に、上部分はヒール方向に抑制されず、それにより上部分はフォワードリーン位置を超えて動くことが可能である、請求項５３に記載の装置。
【請求項５５】
前記フォワードリーンアジャスタは、オーバーセンター構成として構成される、請求項５１から請求項５４のいずれかに記載の装置。
【請求項５６】
スノーボードビンディングであって、
スノーボードブーツを受けるよう構築され配置されるベースプレートを含み、前記ベースプレートはスノーボードに搭載可能であり、前記スノーボードビンディングはさらに
ベースプレートによって支持されるヒールフープを含み、ヒールフープは第１のフォワード面を含み、前記スノーボードビンディングはさらに
乗り手の脚の後ろ部分を支持するよう構築され配置される直立支持部材を含むハイバックを含み、ハイバックは少なくとも直立ライディング位置と倒れた位置との間でベースプレートに回動可能に搭載され、前記支持部材はハイバックが直立ライディング位置に回動されている場合、実質的に第１の表面とフラッシュである第２のフォワード表面を含み、それによりスノーボードブーツは、ヒールフープと支持部材の第１および第２のフォワード表面と係合する、スノーボードビンディング。
【請求項５７】
前記ヒールフープと前記支持部材とは、ハイバックが直立ライディング位置に回動されている場合、互いに対して入れ子構成に係合するよう構築され配置される、請求項５６に記載のスノーボードビンディング。
【請求項５８】
前記ヒールフープは、直立ライディング位置で支持部材のボトムセグメントを受けるよう適合されるフォワード表面窪みを有する、請求項５５または請求項５６のいずれかに記載のスノーボードビンディング。
【請求項５９】
前記窪みは第１のフォワード表面よりも上に配置される、請求項５８に記載のスノーボードビンディング。
【請求項６０】
乗り手の脚の後ろ部分を支持するためのハイバックを搭載するためのスノーボードビンディングベースプレートであって、
スノーボードに搭載可能であるベースと、
ベースプレートによって支持されるヒールフープと、
ヒールフープの内面に配置されるロック特徴とを含み、前記ロック特徴は、ハイバックのトウエッジ回動を防ぐためにハイバックの一部と係合するよう構築され配置される、スノーボードビンディング。
【請求項６１】
前記ロック特徴は移動止め部分を含む、請求項６０に記載のスノーボードビンディングベースプレート。
【請求項６２】
前記ヒールフープの内面の前記ロック特徴はキャッチを含み、前記キャッチは、ハイバックの後ろ表面に設けられる対応の溝と係合するよう構築され配置される、請求項６０または請求項６１のいずれかに記載のスノーボードビンディングベースプレート。
【請求項６３】
前記ベースは、複数の横方向の位置において横方向の回転に対してハイバックを搭載するよう構築され配置され、ロック特徴は、複数の横位置の各々においてハイバックの一部と係合するよう構築され構成される、請求項６０から請求項６２のいずれかに記載のスノーボードビンディングベースプレート。
【請求項６４】
ヒールフープを有するスノーボードビンディングベースプレートに搭載可能なハイバックであって、
乗り手の脚の後ろ部分を支持するよう構築され配置される直立支持部材を含み、前記ハイバックは、ベースプレートに回動可能に搭載可能であり、さらに
支持部材の後ろ表面上に配置されるロック特徴を含み、前記ロック特徴は、ハイバックがスノーボードビンディングベースプレートに搭載される場合に支持部材と対面するヒールフープの内面の対応するロック特徴と係合するよう構築され配置されて、ハイバックのトウエッジ回動を妨げる、ハイバック。
【請求項６５】
支持部材上の前記ロック特徴は移動止め部分を含む、請求項６４に記載のハイバック。
【請求項６６】
支持部材上の前記ロック特徴は、ヒールフープの内面に設けられるキャッチを受けるよう適合される、支持部材の幅をわたって延在する引き延ばされた溝を含む、請求項６４または請求項６５のいずれかに記載のハイバック。
【請求項６７】
前記ハイバックは、複数の横方向の位置の間で横方向の回転に対してベースプレートに搭載可能であり、前記溝は、横方向の位置の各々においてキャッチを受けるよう構成される、請求項６６に記載のハイバック。
【請求項６８】
ハイバックは搭載軸を中心としてベースプレートに回動可能に搭載され、前記支持部材は、下部分と、搭載軸から離れたフォワードリーン軸を中心として下部分に回動可能に装着される上部分とを含み、前記ロック特徴は下部分に配置される、請求項６４から請求項６７のいずれかに記載のハイバック。
【請求項６９】
上部分と下部分とに結合されて、ヒールフープから独立して上部分が予め定められたフォワードリーン位置に維持されるようにするフォワードリーンアジャスタをさらに含む、請求項６８に記載のハイバック。
【請求項７０】
上部分は下部分によって回動可能に支持される、請求項１に従属するハイバック。
【請求項７１】
上部分は、ハイバックが滑走ボード構成要素に搭載される場合、下部分によってのみ支持される、請求項１に従属するハイバック。